(57)【要約】【課題】本発明は、盗聴や無秩序な送受信を行うことなく、任意のデータ送信装置と任意のデータ受信装置と間でのみデータ伝送が可能なシステムを自由に構築できる暗号化コード管理システムを提供することを目的とする。【解決手段】ＩＤ管理用リモコン５によって、ＡＶデータ送信装置３の送信用ＩＤコードＡがＩＤコードＣに交換され、又、ＡＶデータ受信装置４の受信用ＩＤコードＢがＩＤコードＣに交換される。このとき、ＩＤ管理用リモコン５には、送信用ＩＤコードＡ及び受信用ＩＤコードＢが格納される。よってＡＶデータ送信装置３及びＡＶデータ受信装置４はそれぞれ、ＩＤコードＣを格納するため、無線通信システムを構築し、ＡＶデータの送受信が可能となる。【選択図】      図１
2004229263.tif 000002
【特許請求の範囲】
【請求項１】
データを暗号化して送信する複数のデータ送信装置と、
該データ送信装置からの暗号化されたデータを受信する複数のデータ受信装置と、
を備え、
同一の通信システムを構築する前記データ送信装置及び前記データ受信装置を選択して、選択した当該データ送信装置及び当該データ受信装置に対して同一の暗号化コードを設定することを特徴とする暗号化コード管理システム。
【請求項２】
特定の暗号化コードによって暗号化されたデータを送受信するデータ送信装置及びデータ受信装置の少なくとも一方を備えるｎ個の通信システムと、
ｎ＋ｘ（ｘ≧０）個の暗号化コードと、
を備え、
前記ｎ＋ｘ個の暗号化コードから１つの暗号化コードを選択し、
前記ｎ個の通信システムから所望するデータ送信装置及びデータ受信装置を選択し、
選択した当該データ送信装置及びデータ受信装置に、選択した前記暗号化コードを格納させて、選択した当該データ送信装置及びデータ受信装置の間で通信可能な通信システムを構築することを特徴とする暗号化コード管理システム。
【請求項３】
選択した前記データ送信装置及び前記データ受信装置の間でのデータ通信時において使用される前記暗号化コードを送信側及び受信側それぞれに対応して格納するとともに、前記データ送信装置及び前記データ受信装置と通信を行う電子機器を備え、
前記電子機器が、選択した前記データ送信装置及び前記データ受信装置それぞれと通信を行うことで、格納した前記暗号化コードから選択した送信側の暗号化コードを前記データ送信装置の暗号化コードと交換するとともに、前記送信側の暗号化コードと対を成す受信側の暗号化コードを前記データ受信装置が格納している暗号化コードと交換し、
選択した前記データ送信装置及び前記データ受信装置との間で通信可能な通信システムを構築することを特徴とする請求項１又は請求項２に記載の暗号化コード管理システム。
【請求項４】
選択した前記データ送信装置を第１データ送信装置とし、選択した前記データ受信装置を第２データ受信装置とし、前記第１データ送信装置と通信システムを構築しているデータ受信装置を第１データ受信装置とし、前記第２データ受信装置と通信システムを構築しているデータ送信装置を第２データ送信装置としたとき、
前記第１データ送信装置と前記第２データ送信装置との間、又は、前記第１データ受信装置と前記第２データ受信装置との間のいずれか一方で、暗号化コードが交換されることによって、前記第１データ送信装置及び前記第２データ受信装置によって通信システムを新たに構築することを特徴とする請求項１又は請求項２に記載の暗号化コード管理システム。
【請求項５】
選択した前記データ送信装置又は前記データ受信装置のいずれか一方と通信を行うとともに、前記データ送信装置又は前記データ受信装置のいずれか一方から受信した前記暗号化コードを格納する電子機器を備え、
前記第１データ送信装置及び前記第２データ送信装置との間における暗号化コードの交換、又は、前記第１データ受信装置及び前記第２データ受信装置との間における暗号化コードの交換のいずれか一方を行う際に、前記電子機器を介して暗号化コードの交換を行うことを特徴とする請求項４に記載の暗号化コード管理システム。
【請求項６】
選択した前記データ送信装置１つに対して複数の前記データ受信装置を選択し、選択した当該データ送信装置及び複数のデータ受信装置に、選択した前記暗号化コードを格納させて、選択した当該データ送信装置及び複数のデータ受信装置の間で通信可能な通信システムを構築することを特徴とする請求項１又は請求項２に記載の暗号化コード管理システム。
【請求項７】
選択した前記データ送信装置及び前記データ受信装置の間でのデータ通信時において使用される前記暗号化コードを送信側及び複数の受信側それぞれに対応して格納するとともに、前記データ送信装置及び前記データ受信装置と通信を行う電子機器を備え、
前記電子機器が、選択した前記データ送信装置及び複数の前記データ受信装置それぞれと通信を行うことで、格納した前記暗号化コードから選択した送信側の暗号化コードを前記データ送信装置の暗号化コードと交換するとともに、前記送信側の暗号化コードと対を成す複数の受信側の暗号化コードを複数の前記データ受信装置それぞれが格納している暗号化コードと交換し、
選択した前記データ送信装置及び複数の前記データ受信装置との間で通信可能な通信システムを構築することを特徴とする請求項６に記載の暗号化コード管理システム。
【請求項８】
書換が必要な第１暗号化コードを送信側及び１又は複数の受信側それぞれに対応して格納するとともに、前記データ送信装置及び前記データ受信装置と通信を行う電子機器を備え、
前記電子機器が、
選択した前記データ送信装置又は前記データ受信装置のいずれか１つと通信を行うことで、通信している前記データ送信装置又は前記データ受信装置が備えている第２暗号化コードを受信した後、
格納している前記第１暗号化コードを前記第２暗号化コードに書き換えて、送信側及び１又は複数の受信側それぞれに格納し、
格納した前記第２暗号化コードを、前記第２暗号化コードを備えた前記データ送信装置又は前記データ受信装置と通信システムを構築するように選択された前記データ送信装置又は前記データ受信装置が備えた前記暗号化コードと交換し、
選択した前記データ送信装置及び１台又は複数台の前記データ受信装置との間で通信可能な通信システムを構築することを特徴とする請求項１又は請求項２に記載の暗号化コード管理システム。
【請求項９】
前記電子機器が前記第１暗号化コードを前記第２暗号化コードに書き換える際、書換を行う前記第１暗号化コードの数が設定されることを特徴とする請求項８に記載の暗号化コード管理システム。
【請求項１０】
選択した前記データ送信装置及び前記データ受信装置の間でのデータ通信時において使用される前記暗号化コードのうちの一つ又は複数を格納するとともに、前記データ送信装置及び前記データ受信装置と通信を行う電子機器を備え、
前記電子機器が選択した前記データ送信装置及び前記データ受信装置それぞれに前記電子機器に格納されている前記暗号化コードを送信して、選択した前記データ送信装置及び前記データ受信装置がデータ通信を行うときに使用する暗号化コードとして設定し、
選択した前記データ送信装置及び前記データ受信装置との間で通信可能な通信システムを構築することを特徴とする請求項１又は請求項２に記載の暗号化コード管理システム。
【請求項１１】
選択した前記データ送信装置及び前記データ受信装置の間でのデータ通信時において使用される前記暗号化コードを生成するとともに、前記データ送信装置及び前記データ受信装置と通信を行う電子機器を備え、
前記電子機器が選択した前記データ送信装置及び前記データ受信装置それぞれに生成した前記暗号化コードを送信して、選択した前記データ送信装置及び前記データ受信装置がデータ通信を行うときに使用する暗号化コードとして設定し、
選択した前記データ送信装置及び前記データ受信装置との間で通信可能な通信システムを構築することを特徴とする請求項１又は請求項２に記載の暗号化コード管理システム。
【請求項１２】
書換が必要な第１暗号化コードを送信側及び１又は複数の受信側それぞれに対応して格納するとともに、前記データ送信装置及び前記データ受信装置と通信を行う電子機器を備え、
前記電子機器が、
選択した前記データ送信装置又は前記データ受信装置のいずれか１つと通信を行うことで、通信している前記データ送信装置又は前記データ受信装置が備えている第２暗号化コードを受信した後、
格納している前記第１暗号化コードを前記第２暗号化コードに書き換えて、送信側及び１又は複数の受信側それぞれに格納し、
格納した前記第２暗号化コードを前記第２暗号化コードを備えた前記データ送信装置又は前記データ受信装置と通信システムを構築するように選択された前記データ送信装置又は前記データ受信装置に送信して、選択した前記データ送信装置及び前記データ受信装置がデータ通信を行うときに使用する暗号化コードとして設定し、
選択した前記データ送信装置及び１台又は複数台の前記データ受信装置との間で通信可能な通信システムを構築することを特徴とする請求項１又は請求項２に記載の暗号化コード管理システム。
【請求項１３】
前記電子機器が前記第１暗号化コードを前記第２暗号化コードに書き換える際、書換を行う前記第１暗号化コードの数が設定されることを特徴とする請求項１２に記載の暗号化コード管理システム。
【請求項１４】
前記暗号化コードが前記データ送信装置及び前記データ受信装置のいずれか１つに送信された後、所定時間が経過したとき、他の前記データ送信装置又は前記データ受信装置への当該暗号化コードの送信が禁止されることを特徴とする請求項１０〜請求項１３のいずれかに記載の暗号化コード管理システム。
【請求項１５】
前記暗号化コードが前記電子機器で生成された後、所定時間が経過したとき、他の前記データ送信装置又は前記データ受信装置への当該暗号化コードの送信が禁止されることを特徴とする請求項１１に記載の暗号化コード管理システム。
【請求項１６】
前記第１暗号化コードが前記電子機器で前記第２暗号化コードに書き換えられ後、所定時間が経過したとき、他の前記データ送信装置又は前記データ受信装置への当該暗号化コードの送信が禁止されることを特徴とする請求項１２又は請求項１３に記載の暗号化コード管理システム。
【請求項１７】
前記電子機器から送信される前記暗号化コードの前記データ送信装置及び前記データ受信装置それぞれへの送信回数が所定回数まで制限されることを特徴とする請求項１０〜請求項１６のいずれかに記載の暗号化コード管理システム。
【請求項１８】
選択した前記データ送信装置及び前記データ受信装置の間でのデータ通信時において使用される前記暗号化コードを設定する際に前記データ送信装置及び前記データ受信装置の通信で使用される仮暗号化コードを一つ又は複数格納するとともに、前記データ送信装置及び前記データ受信装置と通信を行う電子機器を備え、
前記電子機器が選択した前記データ送信装置及び前記データ受信装置それぞれに同一の前記仮暗号化コードを送信し、
当該仮暗号化コードを受信した前記データ送信装置及び前記データ受信装置が該仮暗号化コードによる通信を行うことで前記暗号化コードを生成して、前記データ送信装置及び前記データ受信装置それぞれが前記データ通信を行うときに使用する前記暗号化コードとして設定し、
選択した前記データ送信装置及び前記データ受信装置との間で通信可能な通信システムを構築することを特徴とする請求項１又は請求項２に記載の暗号化コード管理システム。
【請求項１９】
選択した前記データ送信装置及び前記データ受信装置の間でのデータ通信時において使用される前記暗号化コードを設定する際に前記データ送信装置及び前記データ受信装置の通信で使用される仮暗号化コードを生成するとともに、前記データ送信装置及び前記データ受信装置と通信を行う電子機器を備え、
前記電子機器が選択した前記データ送信装置及び前記データ受信装置それぞれに生成した前記仮暗号化コードを送信し、
当該仮暗号化コードを受信した前記データ送信装置及び前記データ受信装置が該仮暗号化コードによる通信を行うことで新たな暗号化コードを生成して、前記データ送信装置及び前記データ受信装置それぞれが前記データ通信を行うときに使用する前記暗号化コードとして設定し、
選択した前記データ送信装置及び前記データ受信装置との間で通信可能な通信システムを構築することを特徴とする請求項１又は請求項２に記載の暗号化コード管理システム。
【請求項２０】
前記電子機器から前記仮暗号化コードが前記データ送信装置及び前記データ受信装置のいずれか１つに送信された後、所定時間が経過したとき、他の前記データ送信装置又は前記データ受信装置への当該仮暗号化コードの送信が禁止されることを特徴とする請求項１８又は請求項１９に記載の暗号化コード管理システム。
【請求項２１】
前記仮暗号化コードが前記電子機器で生成された後、所定時間が経過したとき、他の前記データ送信装置又は前記データ受信装置への当該仮暗号化コードの送信が禁止されることを特徴とする請求項１９に記載の暗号化コード管理システム。
【請求項２２】
前記仮暗号化コードの前記データ送信装置及び前記データ受信装置それぞれへの送信回数が所定回数まで制限されることを特徴とする請求項１８〜請求項２１のいずれかに記載の暗号化コード管理システム。
【請求項２３】
前記データ送信装置及び前記データ受信装置において、前記電子機器から前記仮暗号化コードを受信してから所定時間が経過したとき、受信した当該仮暗号化コードが削除されることを特徴とする請求項１８〜請求項２２のいずれかに記載の暗号化コード管理システム。
【請求項２４】
前記データ送信装置が前記電子機器より前記仮暗号化コードを受信して前記暗号化コードを生成した後に、当該暗号化コードを前記データ送信装置内に格納するとともに前記データ受信装置に送信し、
又、前記電子機器より前記データ送信装置と同一の前記仮暗号化コードを受信した前記データ受信装置が、前記データ送信装置から送信される前記暗号化コードを受信して格納し、前記データ送信装置と前記通信システムを構築することを特徴とする請求項１８〜請求項２３のいずれかに記載の暗号化コード管理システム。
【請求項２５】
前記暗号化コードが前記仮暗号化コードに基づいて生成されることを特徴とする請求項１８〜請求項２４のいずれかに記載の暗号化コード管理システム。
【請求項２６】
設定される前記暗号化コードが前記仮暗号化コードによって暗号化されて前記データ送信装置及び前記データ受信装置間で通信されることを特徴とする請求項１８〜請求項２５のいずれかに記載の暗号化コード管理システム。
【請求項２７】
前記暗号化コードが交換又は設定可能であるコードと交換又は設定不可能であるコードとを備え、前記交換又は設定不可能な暗号化コードが前記データ送信装置又は前記データ受信装置又は前記電子機器のいずれかで検知されたとき、当該暗号化コードの交換又は設定動作を禁止することを特徴とする請求項３〜請求項２６のいずれかに記載の暗号化コード管理システム。
【請求項２８】
前記暗号化コードが、前記データ送信装置及び前記データ受信装置を特定する種類に応じて交換可能であることが設定されることを特徴とする請求項２７に記載の暗号化コード管理システム。
【請求項２９】
前記暗号化コードが、前記データの送受信が行われるときに使用可能であるものと使用不可能であるものとを備えることを特徴とする請求項１〜請求項２８のいずれかに記載の暗号化コード管理システム。
【請求項３０】
前記データ送信装置及び前記データ受信装置で送受信される前記データが著作権を備えたデータであることを特徴とする請求項１〜請求項２９のいずれかに記載の暗号化コード管理システム。
【請求項３１】
前記データ送信装置及び前記データ受信装置で送受信される前記データがＡＶデータであることを特徴とする請求項１〜請求項３０のいずれかに記載の暗号化コード管理システム。
【請求項３２】
暗号化コードで暗号化されたデータを送信又は受信するデータ処理装置において、
前記暗号化コードを記録する暗号化コード記録部と、
暗号化コードが装置外部から入力される暗号化コード入力部と、
前記暗号化コード記録部に記録された暗号化コードを、前記暗号化コード入力部を介して入力された暗号化コードと交換して前記暗号化コード記録部に記録させる暗号化コード交換制御部と、
を備えることを特徴とするデータ処理装置。
【請求項３３】
前記暗号化コード交換制御部によって交換された交換前に前記暗号化コード記録部に記録された暗号化コードを装置外部に出力する暗号化コード出力部を備えることを特徴とする請求項３２に記載のデータ処理装置。
【請求項３４】
前記暗号化コード記録部に複数の暗号化コードそれぞれを格納する複数の暗号化コード記録領域を備え、当該複数の暗号化コード記録領域に格納された前記暗号化コードのうち使用可能な暗号化コードを利用して通信することを特徴とする請求項３２又は請求項３３に記載のデータ処理装置。
【請求項３５】
前記暗号化コード記録領域のうち特定の暗号化コード記録領域に格納された暗号化コードのみが交換されることを特徴とする請求項３４に記載のデータ処理装置。
【請求項３６】
暗号化コードで暗号化されたデータを送信するデータ送信部を備えたデータ処理装置において、
前記暗号化コードを記録する暗号化コード記録部と、
前記暗号化コードを生成する暗号化コード生成部と、
該暗号化コード生成部において前記暗号化コードを生成したとき、当該暗号化コードをデータ通信を行う他のデータ処理装置に送信する際において暗号化する仮暗号化コードが装置外部から入力される暗号化コード入力部と、
を備え、
前記暗号化コード入力部において前記仮暗号化コードを受信すると、前記暗号化コード生成部において前記暗号化コードを生成した後、前記仮暗号化コードによって前記暗号化コードを暗号化して、前記データ送信部より前記他のデータ処理装置に送信することを特徴とするデータ処理装置。
【請求項３７】
暗号化コードで暗号化されたデータを受信するデータ受信部を備えたデータ処理装置において、
前記暗号化コードを記録する暗号化コード記録部と、
データ通信を行う他のデータ処理装置において前記暗号化コードが生成されたとき、暗号化された当該暗号化コードを受信する際において暗号化解除する仮暗号化コードが装置外部から入力される暗号化コード入力部と、
を備え、
前記暗号化コード入力部において前記仮暗号化コードを受信すると、前記他のデータ処理装置からの前記暗号化コードを前記データ受信部で受信した後、前記仮暗号化コードによって前記暗号化コードを暗号化解除することを特徴とするデータ処理装置。
【請求項３８】
前記仮暗号化コードを前記暗号化コード入力部で受信後の時間を計測するタイマを備え、
前記暗号化コード入力部で受信した前記仮暗号化コードを前記暗号化コード記録部に格納した後、
該タイマによる計測時間より所定時間が経過したことを確認したとき、前記仮暗号化コードを前記暗号化コード記録部より削除することを特徴とする請求項３６又は請求項３７に記載のデータ処理装置。
【請求項３９】
請求項１〜請求項２９に記載の暗号化コード管理システムにおけるデータ送信装置又はデータ受信装置であることを特徴とする請求項３２〜請求項３８のいずれかに記載のデータ処理装置。
【請求項４０】
送受信される前記データが著作権を備えたデータであることを特徴とする請求項３２〜請求項３９のいずれかに記載のデータ処理装置。
【請求項４１】
送受信される前記データがＡＶデータであることを特徴とする請求項３２〜請求項４０のいずれかに記載のデータ処理装置。
【請求項４２】
請求項３に記載の暗号化コード管理システムにおける前記電子機器において、
前記データ送信装置と交換する前記暗号化コードを格納する送信用暗号化コード記憶部と、
前記データ受信装置と交換する前記暗号化コードを格納する受信用暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記送信用暗号化コード記憶部及び前記受信用暗号化コード記憶部に格納する暗号化コードを交換する暗号化コード交換制御部と、
を有することを特徴とする電子機器。
【請求項４３】
請求項５に記載の暗号化コード管理システムにおける前記電子機器において、
前記データ送信装置又は前記データ受信装置と交換する前記暗号化コードを格納する暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記暗号化コード記憶部に格納する前記暗号化コードを交換する暗号化コード交換制御部と、
を有することを特徴とする電子機器。
【請求項４４】
請求項７に記載の暗号化コード管理システムにおける前記電子機器において、
前記データ送信装置と交換する前記暗号化コードを格納する送信用暗号化コード記憶部と、
複数の前記データ受信装置と交換する複数の前記暗号化コードそれぞれを格納する暗号化コード記憶領域を備えた受信用暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記送信用暗号化コード記憶部及び前記受信用暗号化コード記憶部に格納する暗号化コードを交換する暗号化コード交換制御部と、
を有することを特徴とする電子機器。
【請求項４５】
請求項８又は請求項９に記載の暗号化コード管理システムにおける前記電子機器において、
前記暗号化コードを格納する送信用暗号化コード記憶部と、
前記暗号化コードを格納する１又は複数の暗号化コード記憶領域を備えた受信用暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記送信用暗号化コード記憶部及び前記受信用暗号化コード記憶部それぞれに格納された前記暗号化コードが前記第１暗号化コードであるとき、選択した前記データ送信装置又は前記データ受信装置から受信した前記第２暗号化コードに前記第１暗号化コードを書き換えた後、前記送信用暗号化コード記憶部及び前記受信用暗号化コード記憶部それぞれに格納し、当該第２暗号化コードが前記送信用暗号化コード記憶部及び前記受信用暗号化コード記憶部それぞれに格納されているとき、前記送信用暗号化コード記憶部及び前記受信用暗号化コード記憶部に格納する暗号化コードを交換する暗号化コード交換制御部と、
を有することを特徴とする電子機器。
【請求項４６】
請求項１０に記載の暗号化コード管理システムにおける前記電子機器において、
前記データ送信装置及び前記データ受信装置に送信する前記暗号化コードを格納する暗号化コード記憶部と、
前記データ送信装置又は前記データ受信装置へ前記暗号化コードを送信する暗号化コード出力部と、
を有することを特徴とする電子機器。
【請求項４７】
請求項１１に記載の暗号化コード管理システムにおける前記電子機器において、
前記データ送信装置及び前記データ受信装置に送信する前記暗号化コードを生成する暗号化コード生成部と、
前記データ送信装置又は前記データ受信装置へ前記暗号化コードを送信する暗号化コード出力部と、
を有することを特徴とする電子機器。
【請求項４８】
前記暗号化データ生成部で生成した前記暗号化コードを格納する暗号化コード記憶部を備えることを特徴とする請求項４７に記載の電子機器。
【請求項４９】
請求項１２又は請求項１３に記載の暗号化コード管理システムにおける前記電子機器において、
前記暗号化コードを格納する暗号化コード記憶部と、
前記データ送信装置又は前記データ受信装置からの前記暗号化コードを受信する暗号化コード入力部と、
前記データ送信装置又は前記データ受信装置へ前記暗号化コードを送信する暗号化コード出力部と、
前記暗号化コード記憶部に格納された前記暗号化コードが前記第１暗号化コードであるとき、選択した前記データ送信装置又は前記データ受信装置から受信した前記第２暗号化コードに前記第１暗号化コードを書き換えた後、前記暗号化コード記憶部に格納し、当該第２暗号化コードが前記暗号化コード記憶部に格納されているとき、前記暗号化コード記憶部に格納している当該第２暗号化コードを前記暗号化コード出力部より送信する暗号化コード管理制御部と、
を有することを特徴とする電子機器。
【請求項５０】
前記暗号化コードを前記暗号化コード出力部より前記データ送信装置及び前記データ受信装置のいずれか１つへ送信した後の経過時間を計測するタイマを備え、
当該タイマで所定時間の経過を確認したとき、同一の前記暗号化コードにおける前記データ送信装置及び前記データ受信装置への送信を禁止することを特徴とする請求項４６〜請求項４９のいずれかに記載の電子機器。
【請求項５１】
前記暗号化コードを前記暗号化生成部で生成した後の経過時間を計測するタイマを備え、
当該タイマで所定時間の経過を確認したとき、同一の前記暗号化コードにおける前記データ送信装置及び前記データ受信装置への送信を禁止することを特徴とする請求項４７又は請求項４８に記載の電子機器。
【請求項５２】
前記暗号化コード記憶部内の前記第１暗号化コードを前記第２暗号化コードに書き換えた後の経過時間を計測するタイマを備え、
当該タイマで所定時間の経過を確認したとき、同一の前記第２暗号化コードにおける前記データ送信装置及び前記データ受信装置への送信を禁止することを特徴とする請求項４９に記載の電子機器。
【請求項５３】
前記データ出力部から送信する前記暗号化コードの前記データ送信装置及び前記データ受信装置それぞれへの送信回数を計数するカウンタを備え、
当該カウンタで同一の前記暗号化コードにおける前記データ送信装置及び前記データ受信装置への送信回数を計数することで、当該カウンタで同一の前記暗号化コードにおける前記データ送信装置及び前記データ受信装置への送信回数を制限することを特徴とする請求項４６〜請求項５２のいずれかに記載の電子機器。
【請求項５４】
請求項１８に記載の暗号化コード管理システムにおける前記電子機器において、
前記データ送信装置及び前記データ受信装置に送信する前記仮暗号化コードを格納する暗号化コード記憶部と、
前記データ送信装置又は前記データ受信装置へ前記仮暗号化コードを送信する暗号化コード出力部と、
を有することを特徴とする電子機器。
【請求項５５】
請求項１９に記載の暗号化コード管理システムにおける前記電子機器において、
前記データ送信装置及び前記データ受信装置に送信する前記仮暗号化コードを生成する暗号化コード生成部と、
前記データ送信装置又は前記データ受信装置へ前記仮暗号化コードを送信する暗号化コード出力部と、
を有することを特徴とする電子機器。
【請求項５６】
前記暗号化データ生成部で生成した前記仮暗号化コードを格納する暗号化コード記憶部を備えることを特徴とする請求項５５に記載の電子機器。
【請求項５７】
前記仮暗号化コードを前記暗号化コード出力部より前記データ送信装置及び前記データ受信装置のいずれか１つへ送信した後の経過時間を計測するタイマを備え、
当該タイマで所定時間の経過を確認したとき、同一の前記仮暗号化コードにおける前記データ送信装置及び前記データ受信装置への送信を禁止することを特徴とする請求項５４〜請求項５６のいずれかに記載の電子機器。
【請求項５８】
前記仮暗号化コードを前記暗号化生成部で生成した後の経過時間を計測するタイマを備え、
当該タイマで所定時間の経過を確認したとき、同一の前記仮暗号化コードにおける前記データ送信装置及び前記データ受信装置への送信を禁止することを特徴とする請求項５５又は請求項５６に記載の電子機器。
【請求項５９】
前記データ出力部から送信する前記仮暗号化コードの前記データ送信装置及び前記データ受信装置それぞれへの送信回数を計数するカウンタを備え、
当該カウンタで同一の前記仮暗号化コードにおける前記データ送信装置及び前記データ受信装置への送信回数を計数することで、当該カウンタで同一の前記仮暗号化コードにおける前記データ送信装置及び前記データ受信装置への送信回数を制限することを特徴とする請求項５４〜請求項５８のいずれかに記載の電子機器。
【請求項６０】
前記暗号化コードが交換又は設定可能であるコードと交換又は設定不可能であるコードとを備えるとき、交換又は設定不可能な暗号化コードを前記暗号化コード交換制御部で検知すると、暗号化コードの交換動作を禁止することを特徴とする請求項４２〜請求項５９のいずれかに記載の電子機器。
【請求項６１】
前記暗号化コードが、前記データ送信装置及び前記データ受信装置を特定する種類に応じて交換又は設定可能であることが設定されることを特徴とする請求項６０に記載の電子機器。
【請求項６２】
請求項１〜請求項３１のいずれかに記載の暗号化コード管理システムで使用される暗号化コードを配布することを特徴とする暗号化コード配布方法。
【請求項６３】
請求項３、請求項５、又は請求項７〜請求項３１のいずれかに記載の暗号化コード管理システムで使用される前記暗号化コード又は前記仮暗号化コードを前記電子機器に格納して配布することを特徴とする暗号化コード配布方法。
【請求項６４】
前記暗号化コードが交換又は設定可能であるコードと交換又は設定不可能であるコードとを備えることを特徴とする請求項６３に記載の暗号化コード配布方法。
【請求項６５】
前記暗号化コードが、前記データ送信装置及び前記データ受信装置を特定する種類に応じて交換又は設定可能であることが設定されることを特徴とする請求項６４に記載の暗号化コード配布方法。
【請求項６６】
前記暗号化コードが、前記データの送受信が行われるときに使用可能であるものと使用不可能であるものとを備えることを特徴とする請求項６３〜請求項６５のいずれかに記載の暗号化コード配布方法。
【発明の詳細な説明】
【０００１】
【発明の属する技術分野】
本発明は、データを暗号化コードで暗号化して送信するデータ送信装置、及び、暗号化されたデータを受信して復号化するデータ受信装置における、暗号化コード管理システムに関する。又、この暗号化コード管理システムで利用されるデータ処理装置及び電子機器及び暗号化コード配布方法に関する。
【０００２】
【従来の技術】
近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ用の無線通信システムが提供されている。このＡＶデータ用の無線通信システムを実現するために、ＡＶソース機器にＡＶデータを送信するＡＶデータ送信装置が接続されるとともに、ＡＶ再生装置にＡＶ受信装置が接続される。又、このＡＶデータ送信装置がＡＶソース機器に備えられるとともに、ＡＶ受信装置がＡＶ再生装置に備えられることで、ＡＶソース機器とＡＶ再生装置とによってＡＶデータ用の無線通信システムが構成されることもある。
【０００３】
そして、このようなＡＶデータ用の無線通信システムでは、ＡＶデータ送信装置とＡＶデータ受信装置は、ＡＶデータに著作権があるため、１対１で構成され、別のシステムを構成するＡＶデータ送信装置とＡＶデータ受信装置との間ではＡＶ伝送ができないようになっている。従来のＡＶデータ用の無線通信システムを複数用いたときの構成を、図４６に示す。
【０００４】
図４６では、２つのＡＶデータ用の無線通信システムが構成されている。１つのＡＶデータ用の無線通信システムＸは、ＡＶソース機器１と有線で接続されたＡＶデータ送信装置１０１のアンテナ５１１（図４７参照）から、ＡＶソース機器１から出力されたＡＶデータが送信される。このＡＶソース機器１からのＡＶデータは、アンテナ５４１（図４８参照）を介してＡＶデータ受信装置１０２で受信され、ＡＶデータ受信装置１０２と有線で接続されたＡＶ再生装置２に与えられて再生表示される。
【０００５】
又、ＡＶソース機器１を操作するためのリモートコントローラ（リモコン）１１が操作されて赤外線信号が送信されると、この赤外線信号がＡＶデータ受信装置１０２のリモコンデータ受信部５５３で受信された後、無線通信用の信号に変換されてアンテナ５４１から送信される。そして、この信号がＡＶデータ送信装置１０１のアンテナ５１１で受信されると、赤外線信号に変換されてリモコン出力部５１７から送信された後、ＡＶソース機器１の赤外線信号受信部１２で受信されて、リモコン１１で指示された動作をＡＶソース機器１が行う。
【０００６】
又、もう１つのＡＶデータ用の無線通信システムＹは、ＡＶソース機器の機能を備えたＡＶデータ送信装置１０３のアンテナ５１１（図４７参照）からＡＶデータが送信されると、このＡＶデータがＡＶ再生装置の機能を備えたＡＶデータ受信装置１０４のアンテナ５４１（図４８参照）で受信され、ＡＶデータ受信装置１０４によってＡＶデータが投影されてスクリーン１３に再生表示される。又、ＡＶデータ送信装置１０３を操作するためにリモコン１４が操作されると、赤外線信号がＡＶデータ受信装置１０４のリモコンデータ受信部５５３で受信された後、無線通信用の信号に変換されてアンテナ５４１から送信される。そして、この信号がＡＶデータ送信装置１０３のアンテナ５１１で受信されると、リモコン１４で指示された動作をＡＶデータ送信装置１０３が行う。
【０００７】
又、上述のＡＶデータ送信装置１０１は、図４７に示すように、ＮＴＳＣ等のアナログＡＶデータを入力するアナログ入力部５０２とデジタル信号を入力するデジタル入力部５０１がある。アナログデータは、Ａ／Ｄ変換部（以下、「Ａ／Ｄ」とする）５０３でデジタル化され、ＭＰＥＧ部５０４でエンコードされ、各種データはデータ生成部５０５で整理され、誤り訂正符号付加部５０６で誤り符号が付加され、データスクランブル部５０７で暗号化（スクランブル）され、ベースバンド（以下、「ＢＢ」とする）５０９、高周波増幅回路（以下、「ＲＦ」とする）５１０、アンテナ５１１という経路でＡＶデータ受信側に送信される。このとき、データスクランブル部５０７でスクランブルするために使用されるＩＤはＩＤ記憶部５２０に記憶されている。入力されるデータがデジタルデータである場合、デジタル入力部５０１から直接データ生成部５０５に与えられる。
【０００８】
図４８に示す構成のＡＶデータ受信装置１０２では、アンテナ５４１，ＲＦ５４２、ＢＢ５４３を介して受信され、スクランブル解除部５４４でスクランブルを解除し、データ解析部５４５でＡＶデータの振り分けや不足等が判定され、ＭＰＥＧ部５４６でデコードされ、Ｄ／Ａ変換部（以下、「Ｄ／Ａ」とする）５４７でアナログ信号に変換され、アナログ出力部５４８でＮＴＳＣ等のデータとして出力される。このとき、スクランブル解除部５４４でスクランブルを解除するために使用されるＩＤがＩＤ記憶部５６０に記憶されている。又、デジタルデータを出力する場合、データ解析部５４５からのデータがデジタル出力解析部５４９及びデジタル出力部５５０を介して出力される。
【０００９】
又、ＡＶデータ受信装置１０２は、データ解析部５４５において正確に受信されなかったパケットの判定を行う。この判定結果より、受信されなかったパケットの再送要求パケットが再送要求パケット生成部５５８で生成される。更に、ＡＶデータ受信装置１０２は、ＡＶソース機器１を制御するための信号を入力する操作部５５１と、リモコン１１からの赤外線信号を受信するリモコンデータ受信部５５３を備える。そして、操作部５５１からのデータが入力データ変換部５５２で変換され、リモコンデータ受信部５５３で受信された信号がリモコンデータ変換部５５４で変換される。この変換されたデータによるパケットと再送要求パケット生成部５５８からの再送要求パケットから送信データがデータ生成部５５５で生成され、誤り訂正符号付加部５５６で誤り訂正符号が付加される。そして、この送信データが、データスクランブル部５５７でスクランブルされた後、ＢＢ５４３及びＲＦ５４２及びアンテナ５４１を介して送信される。
【００１０】
そして、ＡＶデータ送信機１０１で、アンテナ５１１及びＲＦ５１０及びＢＢ５０９を介して受信すると、スクランブル解除部５１２でスクランブルを解除し、データ解析部５１３においてＡＶデータ受信部１０２で正確に受信されなかったパケットの判定とデータの整理を行い、再送要求が必要な場合は再送要求パケット生成部５１４で再送要求されたＡＶデータのデータパケットが生成される。又、データ解析部５１３で得られたＡＶソース機器１を操作するデータは、リモコンデータ解析部５１６でリモコン信号に変換され、リモコン出力部５１７から赤外線信号として出力される。リモコン信号以外のデジタルデータは、デジタルデータ解析部５１８を介して、デジタルデータ出力部５１９より出力される。
【００１１】
又、ＡＶデータ送信装置１０３は、デジタル入力部５０１及びアナログ入力部５０２及びリモコン出力部５１７及びデジタルデータ出力部５１９の代わりに、ＡＶソース機器１の機能を備える。又、ＡＶデータ受信装置１０４は、アナログ出力部５４８及びデジタル出力部５５０の代わりに、ＡＶ再生装置２の機能を備える。
【００１２】
図４６において、無線通信システムＸを構成するＡＶデータ送信装置１０１及びＡＶデータ受信装置１０２に記録されたＩＤコードは、Ａで固定されている。一方、無線通信システムＹを構成するＡＶデータ送信装置１０３及びＡＶデータ受信装置１０４のＩＤコードは、Ｂで固定されている。このため、同じＩＤコードを持ったＡＶデータ送信装置１０１とＡＶデータ受信装置１０２の組合せ及びＡＶデータ送信装置１０３とＡＶデータ受信装置１０４の組合せそれぞれでＡＶデータの無線伝送が可能となる。又、無線通信システムＸ，Ｙそれぞれで与えられるＩＤコードＡ，Ｂは、出荷時に決められた値に固定される。
【００１３】
又、従来の技術として、給湯器本体とそれを制御するリモコンの間でＩＤを通信により送受信し、最新のリモコンのみを使用可能とする給湯器が提供されている（特許文献１参照）。又、増設親機が自己のＩＤを送信し、このＩＤを受信した他の増設親機は受信したＩＤとは異なったＩＤを使用するインターホンが提供されている（特許文献２参照）。更に、ハブに端末装置の端末情報を登録するために、通常の通信動作を行うときの通常モードと異なる登録モードが備えられるとともに、通常モード及び登録モードそれぞれに対応するスクランブラ及びデスクランブラが設けられたハブ及び端末装置による無線バスシステムが提供されている（特許文献３参照）。
【００１４】
【特許文献１】
特開平７−２５５０８９号公報
【特許文献２】
特開平１１−２８４７５４号公報
【特許文献３】
特開２００１−３３３０８２号公報
【００１５】
【発明が解決しようとする課題】
図４６のＡＶデータの無線通信システムでは、予め定められたＡＶ機器の組合せでしか、ＡＶデータの無線伝送が実現できず、無線で自由な場所で自由なＡＶデータソースを楽しむことが制限されている。しかしながら、スクランブルなどの暗号化を行った無線で伝送されたＡＶデータを受信してスクランブル解除、復号化を実施出来るＡＶデータ受信装置が同時に多数存在した場合、多数のＡＶデータ受信装置で多数の者が視聴できるようになり、ＡＶソース作成者の著作権を侵害することが考えられる。
【００１６】
又、スクランブル設定、解除、暗号化、復号化に関わるコードが自由に設定できるシステムの場合、盗聴などされる恐れがある。更に、再送等を行うシステムでは、複数のＡＶデータ受信装置がシステム内に存在し、それぞれが無秩序に再送要求を行うことにより、再送要求が集中したときの帯域不足や、ＡＶデータ受信装置の安定受信の妨害などが生じる恐れがある。
【００１７】
又、特許文献１によって提供される給湯器におけるＩＤ管理方法では、最新のＩＤコードのみが有効になるシステムであるため、複数の機器に同じＩＤコードを設定することができない。又、同じＩＤコードを再度設定することが出来ないため、このＩＤ管理方法をＡＶデータの無線通信システムに利用したとき、一度他のＡＶデータ送信機又はＡＶデータ受信装置との通信接続を行うために、ＩＤを変更すると、元のＩＤに戻せないことになり、元の組合せの無線通信が出来なくなる。
【００１８】
又、特許文献２で提供されるインターホンに利用されるＩＤ設定方法では、増設親機同士で通信出来る範囲でＩＤが重複することがないにしても、別の場所でＩＤが設定された増設親機と同じＩＤとなる可能性もある。このインターホンの場合は一度設置すれば移動させることは少なく、電源が切られている場合も少ないため、このような構成でよいが、ＡＶ機器の場合は移動する場合も、電源が切られている場合もあり、通信可能な範囲内で複数のＡＶ機器のＩＤが同じになる可能性がある。又、通信を行うたびに、他のＡＶ機器のＩＤを確認して異なるＩＤに設定する必要がある。
【００１９】
又、特許文献３で提供される無線バスシステムでは、ハブに端末装置の端末情報を登録するための登録モードが設けられているが、ハブに端末装置の端末情報を登録する際、ハブ及び端末装置の双方をこの登録モードに設定する必要がある。そのため、ハブ及び端末装置の双方を同時に登録モードにするための操作を行う必要があり、離れて設置されているときなど、登録が不可能となることがある。更に、プリアンブル及びスクランブラ及びデスクランブラを複数備えることによって秘匿性を高めるものとしているが、この複数のプリアンブル及びスクランブラ及びデスクランブラはハブ及び端末装置内で固定されたものである。よって、悪意のある第三者によって使用されたとき、盗聴や無秩序な送受信が行われる可能性がある。
【００２０】
このような問題を鑑みて、本発明は、盗聴や無秩序な送受信を行うことなく、任意のデータ送信装置と任意のデータ受信装置と間でのみデータ伝送が可能なシステムを自由に構築できる暗号化コード管理システムを提供することを目的とする。又、本発明は、このような暗号化コード管理システムを利用するデータ送信装置又はデータ受信装置となるデータ処理装置を提供することを別の目的とする。又、本発明は、このような暗号化コード管理システムにおいて利用される電子機器を提供することを別の目的とする。又、本発明は、このような暗号化コード管理システムで管理される暗号化コードを配布する暗号化コード配布方法を提供することを目的とする。
【００２１】
【課題を解決するための手段】
上記目的を達成するために、本発明の暗号化コード管理システムは、データを暗号化して送信する複数のデータ送信装置と、該データ送信装置からの暗号化されたデータを受信する複数のデータ受信装置と、を備え、同一の通信システムを構築する前記データ送信装置及び前記データ受信装置を選択して、選択した当該データ送信装置及び当該データ受信装置に対して同一の暗号化コードを設定することを特徴とする。
【００２２】
このような暗号化コード管理システムでは、１つの前記通信システムを構築する前記データ送信装置及び前記データ受信装置を選択し、選択した当該データ送信装置及びデータ受信装置に同一の前記暗号化コードを格納させることで、当該データ送信装置及びデータ受信装置によって１つの前記通信システムが構築される。
【００２３】
又、本発明の暗号化コード管理システムは、特定の暗号化コードによって暗号化されたデータを送受信するデータ送信装置及びデータ受信装置の少なくとも一方を備えるｎ個の通信システムと、ｎ＋ｘ（ｘ≧０）個の暗号化コードと、を備え、前記ｎ＋ｘ個の暗号化コードから１つの暗号化コードを選択し、前記ｎ個の通信システムから所望するデータ送信装置及びデータ受信装置を選択し、選択した当該データ送信装置及びデータ受信装置に、選択した前記暗号化コードを格納させて、選択した当該データ送信装置及びデータ受信装置の間で通信可能な通信システムを構築することを特徴とする。
【００２４】
このような暗号化コード管理システムにおいて、選択した前記データ送信装置及び前記データ受信装置の間でのデータ通信時において使用される前記暗号化コードを送信側及び受信側それぞれに対応して格納するとともに、前記データ送信装置及び前記データ受信装置と通信を行う電子機器を備え、前記電子機器が、選択した前記データ送信装置及び前記データ受信装置それぞれと通信を行うことで、格納した前記暗号化コードから選択した送信側の暗号化コードを前記データ送信装置の暗号化コードと交換するとともに、前記送信側の暗号化コードと対を成す受信側の暗号化コードを前記データ受信装置が格納している暗号化コードと交換し、選択した前記データ送信装置及び前記データ受信装置との間で通信可能な通信システムを構築するようにしても構わない。
【００２５】
このとき、送信側及び受信側として対となる第３送信用暗号化コード及び第３受信用暗号化コードを電子機器に格納しているとき、例えば、この電子機器が、第１送信用暗号化コードを備えて第１通信システムを構成している第１データ送信装置と暗号化コードの交換を行うとともに、第２受信用暗号化コードを備えて第２通信システムを構成している第２データ受信装置と暗号化コードの交換を行う。このようにすることで、第１データ送信装置が第３送信用暗号化コードを格納するとともに第２データ受信装置が第３受信用暗号化コードを格納するため、第１データ送信装置と第２データ受信装置との間で第３通信システムが新たに構築される。このとき、電子機器が第１送信用暗号化コード及び第２受信用暗号化コードを格納することとなる。
【００２６】
又、上述の暗号化コード管理システムにおいて、選択した前記データ送信装置を第１データ送信装置とし、選択した前記データ受信装置を第２データ受信装置とし、前記第１データ送信装置と通信システムを構築しているデータ受信装置を第１データ受信装置とし、前記第２データ受信装置と通信システムを構築しているデータ送信装置を第２データ送信装置としたとき、前記第１データ送信装置と前記第２データ送信装置との間、又は、前記第１データ受信装置と前記第２データ受信装置との間のいずれか一方で、暗号化コードが交換されることによって、前記第１データ送信装置及び前記第２データ受信装置によって通信システムを新たに構築するようにしても構わない。
【００２７】
即ち、第１データ送信装置及び第１データ受信装置がそれぞれ第１送信用暗号化コード及び第１受信用暗号化コードを格納して、第１通信システムを構築し、第２データ送信装置及び第２データ受信装置がそれぞれ第２送信用暗号化コード及び第２受信用暗号化コードを格納して、第２通信システムを構築している。このとき、第１データ送信装置と第２データ送信装置との間で送信用暗号化コードの交換が行われることで、第１データ送信装置が第２データ受信装置の第２受信用暗号化コードと対を成す第２送信用暗号化コードを格納するとともに、第２データ送信装置が第１データ受信装置の第１受信用暗号化コードと対を成す第１送信用暗号化コードを格納する。又は、第１データ受信装置と第２データ受信装置との間で受信用暗号化コードの交換が行われることで、第１データ受信装置が第２データ送信装置の第２送信用暗号化コードと対を成す第２受信用暗号化コードを格納するとともに、第２データ受信装置が第１データ送信装置の第１送信用暗号化コードと対を成す第１受信用暗号化コードを格納する。
【００２８】
更に、このとき、選択した前記データ送信装置又は前記データ受信装置のいずれか一方と通信を行うとともに、前記データ送信装置又は前記データ受信装置のいずれか一方から受信した前記暗号化コードを格納する電子機器を備え、前記第１データ送信装置及び前記第２データ送信装置との間における暗号化コードの交換、又は、前記第１データ受信装置及び前記第２データ受信装置との間における暗号化コードの交換のいずれか一方を行う際に、前記電子機器を介して暗号化コードの交換を行うようにしても構わない。
【００２９】
即ち、第１データ送信装置と電子機器との間で暗号化コードを交換することによって、電子機器に第１送信用暗号化コードが格納された後、第２データ送信装置と電子機器との間で暗号化コードを交換することによって、電子機器に第２送信用暗号化コードが格納されるとともに第２データ送信装置に第１送信用暗号化コードが格納される。その後、再度、第１データ送信装置と電子機器との間で暗号化コードを交換することによって、第１データ送信装置に第２送信用暗号化コードが格納される。よって、第１データ送信装置と第２データ受信装置との間で新たに無線通信システムが構築されるとともに、第２データ送信装置と第１データ受信装置との間で新たに通信システムが構築される。
【００３０】
又、第１データ受信装置と電子機器との間で暗号化コードを交換することによって、電子機器に第１受信用暗号化コードが格納された後、第２データ受信装置と電子機器との間で暗号化コードを交換することによって、電子機器に第２受信用暗号化コードが格納されるとともに第２データ受信装置に第１受信用暗号化コードが格納される。その後、再度、第１データ受信装置と電子機器との間で暗号化コードを交換することによって、第１データ受信装置に第２受信用暗号化コードが格納される。よって、第１データ送信装置と第２データ受信装置との間で新たに無線通信システムが構築されるとともに、第２データ送信装置と第１データ受信装置との間で新たに通信システムが構築される。
【００３１】
又、上述の暗号化コード管理システムにおいて、選択した前記データ送信装置１つに対して複数の前記データ受信装置を選択し、選択した当該データ送信装置及び複数のデータ受信装置に、選択した前記暗号化コードを格納させて、選択した当該データ送信装置及び複数のデータ受信装置の間で通信可能な通信システムを構築するようにしても構わない。
【００３２】
このとき、選択した前記データ送信装置及び前記データ受信装置の間でのデータ通信時において使用される前記暗号化コードを送信側及び複数の受信側それぞれに対応して格納するとともに、前記データ送信装置及び前記データ受信装置と通信を行う電子機器を備え、前記電子機器が、選択した前記データ送信装置及び複数の前記データ受信装置それぞれと通信を行うことで、格納した前記の暗号化コードから選択した送信側の暗号化コードを前記データ送信装置の暗号化コードと交換するとともに、前記送信側の暗号化コードと対を成す複数の受信側の暗号化コードを複数の前記データ受信装置それぞれが格納している暗号化コードと交換し、選択した前記データ送信装置及び複数の前記データ受信装置との間で通信可能な通信システムを構築するようにしても構わない。
【００３３】
即ち、例えば、第１通信システムを構築している第１データ送信装置及び第１データ受信装置と、第２通信システムを構築している第２データ受信装置と、第３通信システムを構築している第３データ受信装置とが存在しているものとする。このとき、電子機器に第４送信用暗号化コードと３つの第４受信用暗号化コードが格納され、それぞれ、第１データ送信装置及び第１〜第３データ受信装置に格納された暗号化コードと交換されると、第１データ送信装置に第４送信用暗号化コードが、第１〜第３データ受信装置に第４受信用暗号化コードがそれぞれ格納される。よって、第１データ送信装置及び第１〜第３データ受信装置によって、新たに、第４通信システムが構築される。このとき、電子機器は、第１通信システムで使用される第１送信用暗号化コード及び第１〜第３通信システムで使用される第１〜第３受信用暗号化コードを格納することとなる。
【００３４】
又、上述の暗号化コード管理システムにおいて、書換が必要な第１暗号化コードを送信側及び１又は複数の受信側それぞれに対応して格納するとともに、前記データ送信装置及び前記データ受信装置と通信を行う電子機器を備え、前記電子機器が、選択した前記データ送信装置又は前記データ受信装置のいずれか１つと通信を行うことで、通信している前記データ送信装置又は前記データ受信装置が備えている第２暗号化コードを受信した後、格納している前記第１暗号化コードを前記第２暗号化コードに書き換えて、送信側及び１又は複数の受信側それぞれに格納し、格納した前記第２暗号化コードを、前記第２暗号化コードを備えた前記データ送信装置又は前記データ受信装置と通信システムを構築するように選択された前記データ送信装置又は前記データ受信装置が備えた前記暗号化コードと交換し、選択した前記データ送信装置及び１台又は複数台の前記データ受信装置との間で通信可能な通信システムを構築するようにしても構わない。
【００３５】
このとき、書換必要な第１暗号化コードを電子機器に格納しているとき、選択したデータ送信装置及びデータ受信装置の一台と電子機器とが通信を行うことで、当該装置の備えた第２暗号化コードを電子機器が受信して、第１暗号化コードを第２暗号化コードに書き換える。尚、このとき電子機器と通信を行った装置は、第２暗号化コードを備えたままである。そして、選択したデータ送信装置及びデータ受信装置のうち、この第２暗号化コードと異なる暗号化コードを備えたデータ送信装置及びデータ受信装置と電子機器とが通信を行うことで、これらの装置が備えた暗号化コードと電子機器が備えた第２暗号化コードとが交換されて、電子機器と暗号化コードの交換を行ったデータ送信装置及びデータ受信装置が第２暗号化コードを備えることとなる。よって、この第２暗号化コードを備えたデータ送信装置及びデータ受信装置によって、新たな通信システムが構築される。
【００３６】
このような暗号化コード管理システムにおいて、前記電子機器が前記第１暗号化コードを前記第２暗号化コードに書き換える際、書換を行う前記第１暗号化コードの数が設定されるものとしても構わない。このとき、書換を行う前記第１暗号化コードの数が、電子機器によって設定されるものとしても構わないし、電子機器と通信を行っているデータ送信装置又はデータ受信装置より設定されるものとしても構わない。
【００３７】
又、上述の暗号化コード管理システムにおいて、選択した前記データ送信装置及び前記データ受信装置の間でのデータ通信時において使用される前記暗号化コードのうちの一つ又は複数を格納するとともに、前記データ送信装置及び前記データ受信装置と通信を行う電子機器を備え、前記電子機器が選択した前記データ送信装置及び前記データ受信装置それぞれに前記電子機器に格納されている前記暗号化コードを送信して、選択した前記データ送信装置及び前記データ受信装置がデータ通信を行うときに使用する暗号化コードとして設定し、選択した前記データ送信装置及び前記データ受信装置との間で通信可能な通信システムを構築するようにしても構わない。
【００３８】
このとき、第３暗号化コードを電子機器に格納しているとき、例えば、この電子機器が、第１暗号化コードを備えて第１通信システムを構成している第１データ送信装置と、第２暗号化コードを備えて第２通信システムを構成している第２データ受信装置とに、第３暗号化コードを送信する。このようにすることで、第１データ送信装置及び第２データ受信装置が第３暗号化コードを格納するため、第１データ送信装置と第２データ受信装置との間で第３通信システムが新たに構築される。このとき、電子機器は、第３暗号化コードを格納したままである。又、電子機器は、この第１及び第２暗号化コード以外の第３暗号化コードを含む異なる複数の暗号化コードを備えるようにしても構わない。このとき、この複数の暗号化コードより、例えば、第３暗号化コードを選択して第１データ送信装置及び第２データ受信装置に送信する。
【００３９】
又、上述の暗号化コード管理システムにおいて、選択した前記データ送信装置及び前記データ受信装置の間でのデータ通信時において使用される前記暗号化コードを生成するとともに、前記データ送信装置及び前記データ受信装置と通信を行う電子機器を備え、前記電子機器が選択した前記データ送信装置及び前記データ受信装置それぞれに前記電子機器で生成した前記暗号化コードを送信して、選択した前記データ送信装置及び前記データ受信装置がデータ通信を行うときに使用する暗号化コードとして設定し、選択した前記データ送信装置及び前記データ受信装置との間で通信可能な通信システムを構築するようにしても構わない。
【００４０】
このとき、電子機器で第３暗号化コードを生成し、例えば、この電子機器が、第１暗号化コードを備えて第１通信システムを構成している第１データ送信装置と、第２暗号化コードを備えて第２通信システムを構成している第２データ受信装置とに、第３暗号化コードを送信する。このようにすることで、第１データ送信装置及び第２データ受信装置が第３暗号化コードを格納するため、第１データ送信装置と第２データ受信装置との間で第３通信システムが新たに構築される。このとき、電子機器は、生成した第３暗号化コードを格納したままとしても構わない。
【００４１】
又、上述の暗号化コード管理システムにおいて、書換が必要な第１暗号化コードを送信側及び１又は複数の受信側それぞれに対応して格納するとともに、前記データ送信装置及び前記データ受信装置と通信を行う電子機器を備え、前記電子機器が、選択した前記データ送信装置又は前記データ受信装置のいずれか１つと通信を行うことで、通信している前記データ送信装置又は前記データ受信装置が備えている第２暗号化コードを受信した後、格納している前記第１暗号化コードを前記第２暗号化コードに書き換えて、送信側及び１又は複数の受信側それぞれに格納し、格納した前記第２暗号化コードを前記第２暗号化コードを備えた前記データ送信装置又は前記データ受信装置と通信システムを構築するように選択された前記データ送信装置又は前記データ受信装置に送信して、選択した前記データ送信装置及び前記データ受信装置がデータ通信を行うときに使用する暗号化コードとして設定し、選択した前記データ送信装置及び１台又は複数台の前記データ受信装置との間で通信可能な通信システムを構築するようにしても構わない。
【００４２】
このとき、書換必要な第１暗号化コードを電子機器に格納しているとき、選択したデータ送信装置及びデータ受信装置の一台と電子機器とが通信を行うことで、当該装置の備えた第２暗号化コードを電子機器が受信して、第１暗号化コードを第２暗号化コードに書き換える。尚、このとき電子機器と通信を行った装置は、第２暗号化コードを備えたままである。そして、選択したデータ送信装置及びデータ受信装置のうち、この第２暗号化コードと異なる暗号化コードを備えたデータ送信装置及びデータ受信装置と電子機器とが通信を行うことで、これらの装置に電子機器が備えた第２暗号化コードが送信されて、電子機器と通信を行ったデータ送信装置及びデータ受信装置が第２暗号化コードを備えることとなる。よって、この第２暗号化コードを備えたデータ送信装置及びデータ受信装置によって、新たな通信システムが構築される。
【００４３】
このような暗号化コード管理システムにおいて、前記電子機器が前記第１暗号化コードを前記第２暗号化コードに書き換える際、書換を行う前記第１暗号化コードの数が設定されるものとしても構わない。このとき、書換を行う前記第１暗号化コードの数が、電子機器によって設定されるものとしても構わないし、電子機器と通信を行っているデータ送信装置又はデータ受信装置より設定されるものとしても構わない。
【００４４】
又、前記暗号化コードが前記データ送信装置及び前記データ受信装置のいずれか１つに送信された後、所定時間が経過したとき、他の前記データ送信装置又は前記データ受信装置への当該暗号化コードの送信が禁止されるものとしても構わない。即ち、電子機器において格納された又は生成された又は書き換えられた暗号化コードがデータ送信装置及びデータ受信装置のいずれか１つに初めて送信されると、このときから所定時間が経過するまで、暗号化コードの送信が許可される。よって、初めて暗号化コードが送信されてから所定時間経過後は、データ送信装置及びデータ受信装置に暗号化コードが送信されることがなく、その台数を通信システムを構築するためにかかる時間によって制限することができる。
【００４５】
又、前記暗号化コードが前記電子機器で生成された後、所定時間が経過したとき、他の前記データ送信装置又は前記データ受信装置への当該暗号化コードの送信が禁止されるものとしても構わない。又、前記第１暗号化コードが前記電子機器で前記第２暗号化コードに書き換えられ後、所定時間が経過したとき、他の前記データ送信装置又は前記データ受信装置への当該暗号化コードの送信が禁止されるものとしても構わない。
【００４６】
そして、前記電子機器から送信される前記暗号化コードの前記データ送信装置及び前記データ受信装置それぞれへの送信回数が所定回数まで制限されるものとしても構わない。即ち、電子機器において格納された又は生成された又は書き換えられた暗号化コードが送信されるデータ送信装置及びデータ受信装置がそれぞれ、所定台数まで制限される。
【００４７】
又、上述の暗号化コード管理システムにおいて、選択した前記データ送信装置及び前記データ受信装置の間でのデータ通信時において使用される前記暗号化コードを設定する際に前記データ送信装置及び前記データ受信装置の通信で使用される仮暗号化コードを一つ又は複数格納するとともに、前記データ送信装置及び前記データ受信装置と通信を行う電子機器を備え、前記電子機器が選択した前記データ送信装置及び前記データ受信装置それぞれに同一の前記仮暗号化コードを送信し、当該仮暗号化コードを受信した前記データ送信装置及び前記データ受信装置が該仮暗号化コードによる通信を行うことで前記暗号化コードを生成して、前記データ送信装置及び前記データ受信装置それぞれがデータ通信を行うときに使用する前記暗号化コードとして設定し、選択した前記データ送信装置及び前記データ受信装置との間で通信可能な通信システムを構築するようにしても構わない。
【００４８】
このとき、例えば、この電子機器が、第１暗号化コードを備えて第１通信システムを構成している第１データ送信装置と、第２暗号化コードを備えて第２通信システムを構成している第２データ受信装置とに、仮暗号化コードを送信する。このようにすることで、第１データ送信装置及び第２データ受信装置のいずれかにおいて第１暗号化コード及び第２暗号化コードと異なる第３暗号化コードが生成され、この第３暗号化コードが仮暗号化コードによって暗号化されて第１データ送信装置及び第２データ受信装置の間で送受信される。そして、第１データ送信装置及び第２データ受信装置がこの第３暗号化コードを格納するため、第１データ送信装置と第２データ受信装置との間で第３通信システムが新たに構築される。このとき、電子機器は、仮暗号化コードを格納したままである。
【００４９】
又、電子機器は、異なる複数の仮暗号化コードを備えるようにしても構わない。このとき、この複数の仮暗号化コードより、１つの仮暗号化コードを選択して第１データ送信装置及び第２データ受信装置に送信する。
【００５０】
又、上述の暗号化コード管理システムにおいて、選択した前記データ送信装置及び前記データ受信装置の間でのデータ通信時において使用される前記暗号化コードを設定する際に前記データ送信装置及び前記データ受信装置の通信で使用される仮暗号化コードを生成するとともに、前記データ送信装置及び前記データ受信装置と通信を行う電子機器を備え、前記電子機器が選択した前記データ送信装置及び前記データ受信装置それぞれに生成した前記仮暗号化コードを送信し、当該仮暗号化コードを受信した前記データ送信装置及び前記データ受信装置が該仮暗号化コードによる通信を行うことで新たな暗号化コードを生成して、前記データ送信装置及び前記データ受信装置それぞれが前記データ通信を行うときに使用する前記暗号化コードとして設定し、選択した前記データ送信装置及び前記データ受信装置との間で通信可能な通信システムを構築するようにしても構わない。
【００５１】
このとき、電子機器で仮暗号化コードを生成し、例えば、この電子機器が、第１暗号化コードを備えて第１通信システムを構成している第１データ送信装置と、第２暗号化コードを備えて第２通信システムを構成している第２データ受信装置とに、生成した仮暗号化コードを送信する。このようにすることで、第１データ送信装置及び第２データ受信装置のいずれかにおいて第１暗号化コード及び第２暗号化コードと異なる第３暗号化コードが生成され、この第３暗号化コードが仮暗号化コードによって暗号化されて第１データ送信装置及び第２データ受信装置の間で送受信される。そして、第１データ送信装置及び第２データ受信装置がこの第３暗号化コードを格納するため、第１データ送信装置と第２データ受信装置との間で第３通信システムが新たに構築される。このとき、電子機器は、生成した仮暗号化コードを格納したままとしても構わない。
【００５２】
そして、これらの仮暗号化コードを使用した暗号化コード管理システムにおいて、前記電子機器に格納された前記仮暗号化コードが前記データ送信装置及び前記データ受信装置のいずれか１つに送信された後、所定時間が経過したとき、他の前記データ送信装置又は前記データ受信装置への当該仮暗号化コードの送信が禁止されるものとしても構わないし、又、前記仮暗号化コードが前記電子機器で生成された後、所定時間が経過したとき、他の前記データ送信装置又は前記データ受信装置への当該仮暗号化コードの送信が禁止されるものとしても構わない。更に、前記電子機器に格納された前記仮暗号化コードの前記データ送信装置及び前記データ受信装置それぞれへの送信回数が所定回数まで制限されるものとしても構わない。
【００５３】
又、前記データ送信装置及び前記データ受信装置において、前記電子機器から前記仮暗号化コードを受信してから所定時間が経過したとき、受信した当該仮暗号化コードが削除されるものとして、暗号化コードの設定時間を制限するようにしても構わない。このとき、生成した暗号化コードの送信回数が所定回数を超えたときに仮暗号化コードが削除されるものとしても構わない。
【００５４】
又、前記データ送信装置が前記電子機器より前記仮暗号化コードを受信して前記暗号化コードを生成した後に、当該暗号化コードを前記データ送信装置内に格納するとともに前記データ受信装置に送信し、又、前記電子機器より前記データ送信装置と同一の前記仮暗号化コードを受信した前記データ受信装置が、前記データ送信装置から送信される前記暗号化コードを受信して格納し、前記データ送信装置と前記通信システムを構築するものとしても構わない。
【００５５】
即ち、第１暗号化コードを備えた第１データ送信装置が仮暗号化コードを受信すると第３暗号化コードを生成して、第２暗号化コードを備えた第２データ受信装置に送信する。そして、第１データ送信装置では、データ通信に使用する暗号化コードとして、生成した第３暗号化コードに変更し、又、第２データ受信装置では、データ通信に使用する暗号化コードとして、受信した第３暗号化コードに変更する。このようにして、第１データ送信装置及び第２データ受信装置がこの第３暗号化コードを格納するため、第１データ送信装置と第２データ受信装置との間で第３通信システムが新たに構築される。
【００５６】
更に、前記暗号化コードが前記仮暗号化コードに基づいて生成されるものとしても構わないし、設定される前記暗号化コードが前記仮暗号化コードによって暗号化されて前記データ送信装置及び前記データ受信装置間で通信されるものとしても構わない。
【００５７】
又、上述の各暗号化コード管理システムにおいて、前記暗号化コードが交換又は設定可能であるコードと交換又は設定不可能であるコードとを備え、前記交換又は設定不可能な暗号化コードが前記データ送信装置又は前記データ受信装置又は前記電子機器のいずれかで検知されたとき、当該暗号化コードの交換又は設定動作を禁止するようにしても構わない。
【００５８】
更に、このとき、前記暗号化コードが、前記データ送信装置及び前記データ受信装置を特定する種類に応じて交換可能であることが設定されるようにしても構わない。即ち、データ送信装置及びデータ受信装置の製造会社又は販売会社に応じて利用可能な暗号化コードを振り分けるようにすることで、他の製造会社又は販売会社の装置間によるデータ通信を禁止することができる。
【００５９】
又、上述の暗号化コード管理システムにおいて、前記暗号化コードが、前記データの送受信が行われるときに使用可能であるものと使用不可能であるものとを備えるようにしても構わない。
【００６０】
更に、上述の各暗号化コード管理システムにおいて、前記データ送信装置及び前記データ受信装置で送受信される前記データを、著作権を備えたデータとしても構わないし、又、前記データ送信装置及び前記データ受信装置で送受信される前記データをＡＶデータとしても構わない。
【００６１】
又、本発明のデータ処理装置は、暗号化コードで暗号化されたデータを送信又は受信するデータ処理装置において、前記暗号化コードを記録する暗号化コード記録部と、暗号化コードが装置外部から入力される暗号化コード入力部と、前記暗号化コード記録部に記録された暗号化コードを、前記暗号化コード入力部を介して入力された暗号化コードと交換して前記暗号化コード記録部に記録させる暗号化コード交換制御部と、を備えることを特徴とする。
【００６２】
このとき、前記暗号化コード交換制御部によって交換された交換前に前記暗号化コード記録部に記録された暗号化コードを装置外部に出力する暗号化コード出力部を備えて、自機器の暗号化コードと装置外部からの暗号化コードとを交換可能としても構わない。又、前記暗号化コード記録部に複数の暗号化コードそれぞれを格納する複数の暗号化コード記録領域を備え、当該複数の暗号化コード記録領域に格納された前記暗号化コードのうち使用可能な暗号化コードを利用して無線通信が行われるようにしても構わない。更に、このとき、前記暗号化コード記録領域のうち特定の暗号化コード記録領域に格納された暗号化コードのみが交換されるようにしても構わない。
【００６３】
又、本発明のデータ処理装置は、暗号化コードで暗号化されたデータを送信するデータ送信部を備えたデータ処理装置において、前記暗号化コードを記録する暗号化コード記録部と、前記暗号化コードを生成する暗号化コード生成部と、該暗号化コード生成部において前記暗号化コードを生成したとき、当該暗号化コードをデータ通信を行う他のデータ処理装置に送信する際において暗号化する仮暗号化コードが装置外部から入力される暗号化コード入力部と、を備え、前記暗号化コード入力部において前記仮暗号化コードを受信すると、前記暗号化コード生成部において前記暗号化コードを生成した後、前記仮暗号化コードによって前記暗号化コードを暗号化して、前記データ送信部より前記他のデータ処理装置に送信することを特徴とする。
【００６４】
このようなデータ処理装置において、自機器が受信した仮暗号化コードと同一の仮暗号化コードを受信したデータ処理装置にのみ自機器で設定した暗号化コードを送信するために、暗号化コードを仮暗号化コードで暗号化して送信する。よって、この仮暗号化コードで暗号化された暗号化コードを暗号解除して確認することができたデータ処理装置とのみ通信システムを構築することができる。この暗号化コードを生成する際、仮暗号化コードに基づいて生成するものとしても構わない。
【００６５】
又、本発明のデータ処理装置は、暗号化コードで暗号化されたデータを受信するデータ受信部を備えたデータ処理装置において、前記暗号化コードを記録する暗号化コード記録部と、データ通信を行う他のデータ処理装置において前記暗号化コードが生成されたとき、暗号化された当該暗号化コードを受信する際において暗号化解除する仮暗号化コードが装置外部から入力される暗号化コード入力部と、を備え、前記暗号化コード入力部において前記仮暗号化コードを受信すると、前記他のデータ処理装置からの前記暗号化コードを前記データ受信部で受信した後、前記仮暗号化コードによって前記暗号化コードを暗号化解除することを特徴とする。
【００６６】
このようなデータ処理装置において、自機器が受信した仮暗号化コードと同一の仮暗号化コードを受信したデータ処理装置で設定された暗号化コードを受信する。このとき、この暗号化コードが仮暗号化コードで暗号化されている。そして、この仮暗号化コードで暗号化された暗号化コードを暗号解除して確認することで、この仮暗号化コードで暗号化された暗号化コードを送信したデータ処理装置と通信システムを構築することができる。
【００６７】
又、これらの仮暗号化コードを受信するデータ処理装置において、前記仮暗号化コードを前記暗号化コード入力部で受信後の時間を計測するタイマを備え、前記暗号化コード入力部で受信した前記仮暗号化コードを前記暗号化コード記録部に格納した後、該タイマによる計測時間より所定時間が経過したことを確認したとき、前記仮暗号化コードを前記暗号化コード記録部より削除するようにして、通信システムをデータ処理装置間で設定する時間を制限するようにしても構わない。
【００６８】
又、これらのデータ処理装置は、上述の暗号化コード管理システムにおけるデータ送信装置又はデータ受信装置として利用される。又、送受信される前記データを、著作権を備えたデータとしても構わない。更に、送受信される前記データをＡＶデータとしても構わない。
【００６９】
又、本発明の電子機器は、上述の暗号化コード管理システムにおいてデータ送信装置及びデータ受信装置の両方と暗号化コードを交換する電子機器であり、前記データ送信装置と交換する前記暗号化コードを格納する送信用暗号化コード記憶部と、前記データ受信装置と交換する前記暗号化コードを格納する受信用暗号化コード記憶部と、前記データ送信装置又は前記データ受信装置からの前記暗号化コードを受信する暗号化コード入力部と、前記データ送信装置又は前記データ受信装置へ前記暗号化コードを送信する暗号化コード出力部と、前記送信用暗号化コード記憶部及び前記受信用暗号化コード記憶部に格納する暗号化コードを交換する暗号化コード交換制御部と、を有することを特徴とする。
【００７０】
又、本発明の電子機器は、上述の暗号化コード管理システムにおいてデータ送信装置又はデータ受信装置のいずれか一方と暗号化コードを交換する電子機器であり、前記データ送信装置又は前記データ受信装置と交換する前記暗号化コードを格納する暗号化コード記憶部と、前記データ送信装置又は前記データ受信装置からの前記暗号化コードを受信する暗号化コード入力部と、前記データ送信装置又は前記データ受信装置へ前記暗号化コードを送信する暗号化コード出力部と、前記暗号化コード記憶部に格納する前記暗号化コードを交換する暗号化コード交換制御部と、を有することを特徴とする。
【００７１】
又、本発明の電子機器は、上述の暗号化コード管理システムにおいてデータ送信装置及び複数のデータ受信装置と暗号化コードを交換することが可能な電子機器であり、前記データ送信装置と交換する前記暗号化コードを格納する送信用暗号化コード記憶部と、複数の前記データ受信装置と交換する複数の前記暗号化コードそれぞれを格納する暗号化コード記憶領域を備えた受信用暗号化コード記憶部と、前記データ送信装置又は前記データ受信装置からの前記暗号化コードを受信する暗号化コード入力部と、前記データ送信装置又は前記データ受信装置へ前記暗号化コードを送信する暗号化コード出力部と、前記送信用暗号化コード記憶部及び前記受信用暗号化コード記憶部に格納する暗号化コードを交換する暗号化コード交換制御部と、を有することを特徴とする。
【００７２】
又、本発明の電子機器は、上述の暗号化コード管理システムにおいて書換必要な第１暗号化コードを備えた電子機器であり、前記暗号化コードを格納する送信用暗号化コード記憶部と、前記暗号化コードを格納する１又は複数の暗号化コード記憶領域を備えた受信用暗号化コード記憶部と、前記データ送信装置又は前記データ受信装置からの前記暗号化コードを受信する暗号化コード入力部と、前記データ送信装置又は前記データ受信装置へ前記暗号化コードを送信する暗号化コード出力部と、前記送信用暗号化コード記憶部及び前記受信用暗号化コード記憶部それぞれに格納された前記暗号化コードが前記第１暗号化コードであるとき、選択した前記データ送信装置又は前記データ受信装置から受信した前記第２暗号化コードに前記第１暗号化コードを書き換えた後、前記送信用暗号化コード記憶部及び前記受信用暗号化コード記憶部それぞれに格納し、当該第２暗号化コードが前記送信用暗号化コード記憶部及び前記受信用暗号化コード記憶部それぞれに格納されているとき、前記送信用暗号化コード記憶部及び前記受信用暗号化コード記憶部に格納する暗号化コードを交換する暗号化コード交換制御部と、を有することを特徴とする。
【００７３】
又、本発明の電子機器は、上述の暗号化コード管理システムにおいてデータ送信装置及びデータ受信装置に暗号化コードを送信する電子機器であり、前記データ送信装置及び前記データ受信装置に送信する前記暗号化コードを格納する暗号化コード記憶部と、前記データ送信装置又は前記データ受信装置へ前記暗号化コードを送信する暗号化コード出力部と、を有することを特徴とする。このとき、暗号化コード記憶部内の暗号化コードを同一の暗号化コードが記憶されたままである。
【００７４】
又、本発明の電子機器は、上述の暗号化コード管理システムにおいてデータ送信装置及びデータ受信装置に暗号化コードを送信する電子機器であり、前記データ送信装置及び前記データ受信装置に送信する前記暗号化コードを生成する暗号化コード生成部と、前記データ送信装置又は前記データ受信装置へ前記暗号化コードを送信する暗号化コード出力部と、を有することを特徴とする。このとき、前記暗号化データ生成部で生成した前記暗号化コードを格納する暗号化コード記憶部を備えるものとしても構わない。
【００７５】
又、本発明の電子機器は、上述の暗号化コード管理システムにおいて書換必要な第１暗号化コードを備えた電子機器であり、前記暗号化コードを格納する暗号化コード記憶部と、前記データ送信装置又は前記データ受信装置からの前記暗号化コードを受信する暗号化コード入力部と、前記データ送信装置又は前記データ受信装置へ前記暗号化コードを送信する暗号化コード出力部と、前記暗号化コード記憶部に格納された前記暗号化コードが前記第１暗号化コードであるとき、選択した前記データ送信装置又は前記データ受信装置から受信した前記第２暗号化コードに前記第１暗号化コードを書き換えた後、前記暗号化コード記憶部に格納し、当該第２暗号化コードが前記暗号化コード記憶部に格納されているとき、前記暗号化コード記憶部に格納している当該第２暗号化コードを前記暗号化コード出力部より送信する暗号化コード管理制御部と、を有することを特徴とする。
【００７６】
この暗号化コードの送信を行う電子機器において、前記暗号化コードを前記暗号化コード出力部より前記データ送信装置及び前記データ受信装置のいずれか１つへ送信した後の経過時間を計測するタイマを備え、当該タイマで所定時間の経過を確認したとき、同一の前記暗号化コードにおける前記データ送信装置及び前記データ受信装置への送信を禁止するものとしても構わない。
【００７７】
又、前記暗号化コードを前記暗号化生成部で生成した後の経過時間を計測するタイマを備え、当該タイマで所定時間の経過を確認したとき、同一の前記暗号化コードにおける前記データ送信装置及び前記データ受信装置への送信を禁止するものとしても構わないし、又、前記暗号化コード記憶部内の前記第１暗号化コードを前記第２暗号化コードに書き換えた後の経過時間を計測するタイマを備え、当該タイマで所定時間の経過を確認したとき、同一の前記第２暗号化コードにおける前記データ送信装置及び前記データ受信装置への送信を禁止するものとしても構わない。
【００７８】
又、前記データ出力部から送信する前記暗号化コードの前記データ送信装置及び前記データ受信装置それぞれへの送信回数を計数するカウンタを備え、当該カウンタで同一の前記暗号化コードにおける前記データ送信装置及び前記データ受信装置への送信回数を計数することで、当該カウンタで同一の前記暗号化コードにおける前記データ送信装置及び前記データ受信装置への送信回数を制限するものとしても構わない。
【００７９】
又、本発明の電子機器は、上述の暗号化コード管理システムにおいてデータ送信装置及びデータ受信装置に新たに暗号化コードを設定する際に使用する仮暗号化コードを送信する電子機器であり、前記データ送信装置及び前記データ受信装置に送信する前記仮暗号化コードを格納する暗号化コード記憶部と、前記データ送信装置又は前記データ受信装置へ前記仮暗号化コードを送信する暗号化コード出力部と、を有することを特徴とする。このとき、暗号化コード記憶部内の暗号化コードを同一の暗号化コードが記憶されたままである。
【００８０】
又、本発明の電子機器は、上述の暗号化コード管理システムにおいてデータ送信装置及びデータ受信装置に新たに暗号化コードを設定する際に使用する仮暗号化コードを送信する電子機器であり、前記データ送信装置及び前記データ受信装置に送信する前記仮暗号化コードを生成する暗号化コード生成部と、前記データ送信装置又は前記データ受信装置へ前記暗号化コードを送信する暗号化コード出力部と、を有することを特徴とする。このとき、前記暗号化データ生成部で生成した前記仮暗号化コードを格納する暗号化コード記憶部を備えるものとしても構わない。
【００８１】
この仮暗号化コードの送信を行う電子機器において、前記仮暗号化コードを前記暗号化コード出力部より前記データ送信装置及び前記データ受信装置のいずれか１つへ送信した後の経過時間を計測するタイマを備え、当該タイマで所定時間の経過を確認したとき、同一の前記仮暗号化コードにおける前記データ送信装置及び前記データ受信装置への送信を禁止するものとしても構わない。又、前記仮暗号化コードを前記暗号化生成部で生成した後の経過時間を計測するタイマを備え、当該タイマで所定時間の経過を確認したとき、同一の前記仮暗号化コードにおける前記データ送信装置及び前記データ受信装置への送信を禁止するものとしても構わない。
【００８２】
又、前記データ出力部から送信する前記仮暗号化コードの前記データ送信装置及び前記データ受信装置それぞれへの送信回数を計数するカウンタを備え、当該カウンタで同一の前記仮暗号化コードにおける前記データ送信装置及び前記データ受信装置への送信回数を計数することで、当該カウンタで同一の前記仮暗号化コードにおける前記データ送信装置及び前記データ受信装置への送信回数を制限するものとしても構わない。
【００８３】
上述の各電子機器において、前記暗号化コードが交換又は設定可能であるコードと交換又は設定不可能であるコードとを備えるとき、交換又は設定不可能な暗号化コードを前記暗号化コード交換制御部で検知すると、暗号化コードの交換動作を禁止するようにしても構わない。このとき、前記暗号化コードが、前記暗号化コードが、前記データ送信装置及び前記データ受信装置を特定する種類に応じて交換又は設定可能であることが設定されるようにしても構わない。
【００８４】
更に、本発明の暗号化コード配布方法は、上述の各暗号化コード管理システムで使用される暗号化コードを配布することを特徴とする。このとき、暗号化コードが格納された記録メディアなどが配布されることで配布されるようにしても構わないし、インターネットなどの通信メディアを通じて配布されるようにしても構わない。又、配布する暗号化コードを電子機器に格納して、電子機器を配布することで暗号化コードを配布するようにしても構わない。
【００８５】
【発明の実施の形態】
＜第１の実施形態＞
本発明の第１の実施形態について、図面を参照して以下に説明する。図１は、本実施形態におけるＡＶデータ用の無線通信システムに用いられるＩＤ管理システムを説明するための図である。図２及び図３は、ＡＶデータ送信装置及びＡＶデータ受信装置の内部構成を示すブロック図である。尚、この図２及び図３において、図４７及び図４８と同一の部分については、同一の符号を付してその詳細な説明は省略する。図４及び図５は、ＩＤ管理用リモコンの構成を示す外観図及びブロック図である。
【００８６】
図１のＩＤ管理システムは、ＩＤコードＡを記録するとともにＡＶソース機器１に有線接続されたＡＶデータ送信装置３と、ＩＤコードＢを記録するとともにＡＶ再生装置としての機能を備えるＡＶデータ受信装置４と、送信用ＩＤコード及び受信用ＩＤコードとしてそれぞれＣを記録しているＩＤ管理用リモコン５とによって構成される。
【００８７】
又、本実施形態におけるＡＶデータ送信装置は、図２に示すように、図４７のＡＶデータ送信装置に、ＩＤ記憶部５２０に記録されるＩＤコードを切り換えるＩＤ交換制御部５２１と、外部のＩＤ管理用リモコン５から送信されたＩＤコードを受信するＩＤ入力部５２２と、ＩＤ記憶部５２０に記録されていたＩＤコードを外部のＩＤ管理用リモコン５に送信するＩＤ出力部５２３とが付加された構成である。
【００８８】
又、本実施形態におけるＡＶデータ受信装置は、図３に示すように、図４８のＡＶデータ受信装置に、ＩＤ記憶部５６０に記録されるＩＤコードを切り換えるＩＤ交換制御部５６１と、外部のＩＤ管理用リモコン５から送信されたＩＤコードを受信するＩＤ入力部５６２と、ＩＤ記憶部５６０に記録されていたＩＤコードを外部のＩＤ管理用リモコン５に送信するＩＤ出力部５６３とが付加された構成である。尚、図１のＡＶデータ受信装置４は、ＡＶ再生装置の機能を備えるため、アナログ出力部５４８及びデジタル出力部５５０は備えていない。
【００８９】
又、本実施形態におけるＩＤ管理用リモコン５は、図４の外観図に示すように、図４６のリモコン１１，１４と同一の機能を備えたＡＶソース機器１の動作を制御するためのキー部分５１と、ＩＤコードの交換を指示するための交換用キー５２と、交換するＩＤコードが送信用ＩＤコードであることを指示するＴＸキー５３と、交換するＩＤコードが受信用ＩＤコードであることを指示するＲＸキー５４と、リモコン信号及びＩＤコードの送受信を行う送受信部５５とを備える。
【００９０】
そして、このＩＤ管理用リモコン５は、図５のように、送信用ＩＤコードを格納する送信用ＩＤ記憶部５７０と、受信用ＩＤコードを格納する受信用ＩＤ記憶部５７１と、内部に記録したＩＤコードと外部から受信したＩＤコードとの切換制御を行うＩＤ交換制御部５７２と、送受信部５５で受信したＩＤコードをＩＤ交換制御部５７２に送出するＩＤ入力部５７３と、ＩＤ交換制御部５７２によって読み出されたＩＤコードを送受信部５５に送出するＩＤ出力部５７４と、外部から受信したＩＤコードを一時的に格納するＩＤ一時記憶部５７５とを備える。
【００９１】
このように構成されるとき、ＩＤ管理用リモコン５とＡＶデータ送信装置３（ＡＶデータ受信装置４）との間で、送信用ＩＤコード（受信用ＩＤコード）が切り換えられるとき、図６のフローチャートに従って動作する。又、このときのＩＤコードの変遷について、図７に示す。尚、以下では、ＩＤ管理用リモコン５とＡＶデータ送信装置３との間における動作について説明するが、ＩＤ管理用リモコン５とＡＶデータ受信装置４との間における動作についても同様であるため、対応する部分について、かっこ内に記載する。
【００９２】
交換用キー５２及びＴＸキー５３（ＲＸキー５４）が操作されて、ＩＤ管理用リモコン５が送信用ＩＤコード（受信用ＩＤコード）の交換開始を確認すると（ＳＴＥＰ１）、ＩＤ交換制御部５７２で送信用ＩＤコード（受信用ＩＤコード）の交換を要求する信号（以下、「ＩＤコード交換要求信号」とする）を生成して、ＩＤ出力部５７４を介して送受信部５５より送信する（ＳＴＥＰ２）。このＩＤコード交換要求信号をＡＶデータ送信装置３（ＡＶデータ受信装置４）がＩＤ入力部５２２（５６２）で受信すると（ＳＴＥＰ２１）、ＩＤ交換制御部５２１（５６１）でＩＤコード交換要求信号が自機器への信号であるか否かが確認される（ＳＴＥＰ２２）。
【００９３】
このとき、自機器への信号であり交換可能であることが確認されると（Ｙｅｓ）、ＩＤ記憶部５２０（５６０）に格納されている送信用ＩＤコード（受信用ＩＤコード）をＩＤ交換制御部５２１（５６１）が読み出してＩＤ出力部５２３（５６３）より送信する（ＳＴＥＰ２３）。又、ＳＴＥＰ２２で交換不可能であるとされると（Ｎｏ）、ＩＤ交換制御部５２１（５６１）において交換動作を禁止するためのＮＧ信号を生成して、ＩＤ出力部５２３（５６３）より送信する（ＳＴＥＰ３０）。
【００９４】
そして、送信用ＩＤコード（受信用ＩＤコード）又はＮＧ信号が送受信部５５を介してＩＤ入力部５７３に入力されると（ＳＴＥＰ３）、ＩＤ交換制御部５７２において送信用ＩＤコード（受信用ＩＤコード）を受信したか否かが確認される（ＳＴＥＰ４）。このとき、ＩＤ交換制御部５７２において、送信用ＩＤコード（受信用ＩＤコード）を受信したことが確認されると（Ｙｅｓ）、受信した送信用ＩＤコード（受信用ＩＤコード）が交換可能なものであるか否かが確認される（ＳＴＥＰ５）。尚、この送信用ＩＤコード（受信用ＩＤコード）は、交換可能か否かを識別するために後述する符号化が施される。
【００９５】
送信用ＩＤコード（受信用ＩＤコード）が交換可能であることが確認されると（Ｙｅｓ）、送信用ＩＤコード（受信用ＩＤコード）をＩＤ一時記憶部５７５に格納した後、送信用ＩＤ記憶部５７０（受信用ＩＤ記憶部５７１）に格納されている送信用ＩＤコード（受信用ＩＤコード）をＩＤ交換制御部５７２が読み出して、ＩＤ出力部５７４及び送受信部５５を介して送信する（ＳＴＥＰ６）。又、送信用ＩＤコード（受信用ＩＤコード）が交換可能でない場合（Ｎｏ）、交換不可能であることを示すＮＧ信号をＩＤ出力部５７４及び送受信部５５を介して送信した後（ＳＴＥＰ１１）、ＩＤ一時記憶部５７５に格納した送信用ＩＤコード（受信用ＩＤコード）を破棄する（ＳＴＥＰ１２）。
【００９６】
このＩＤ管理用リモコン５から送信される送信用ＩＤコード（受信用ＩＤコード）又はＮＧ信号がＩＤ入力部５２２（５６２）で受信されると（ＳＴＥＰ２４）、ＡＶデータ送信装置３（ＡＶデータ受信装置４）は、ＩＤ交換制御部５２１（５６１）で送信用ＩＤコード（受信用ＩＤコード）であるか否かを確認する（ＳＴＥＰ２５）。そして、送信用ＩＤコード（受信用ＩＤコード）を受信している場合（Ｙｅｓ）、受信した送信用ＩＤコード（受信用ＩＤコード）が交換可能であるか確認する（ＳＴＥＰ２６）。
【００９７】
このとき、交換可能である場合（Ｙｅｓ）、交換可能であることを示すＯＫ信号をＩＤ交換制御部５２１（５６１）で生成した後にＩＤ出力部５２３（５６３）より送信し（ＳＴＥＰ２７）、又、交換不可能である場合（Ｎｏ）、ＮＧ信号をＩＤ出力部５２３（５６３）より送信した後（ＳＴＥＰ３１）、受信した送信用ＩＤコード（受信用ＩＤコード）を破棄する（ＳＴＥＰ３２）。
【００９８】
そして、ＳＴＥＰ２７でＯＫ信号を送信すると、まず、ＩＤ記憶部５２０（５６０）に格納されている元の送信用ＩＤコード（受信用ＩＤコード）を削除し（ＳＴＥＰ２８）、ＳＴＥＰ２４で受信した新しい送信用ＩＤコード（受信用ＩＤコード）をＩＤ記憶部５２０（５６０）に記録し（ＳＴＥＰ２９）、ＡＶデータ送信装置３（ＡＶデータ受信装置４）は動作を終了する。又、ＳＴＥＰ３０でＮＧ信号を送信したとき、ＳＴＥＰ２５でＮＧ信号を受信したとき（Ｎｏ）、ＳＴＥＰ３２で受信した送信用ＩＤコード（受信用ＩＤコード）を破棄したとき、ＡＶデータ送信装置３（ＡＶデータ受信装置４）は動作を終了する。
【００９９】
又、ＩＤ管理用リモコン５がＡＶデータ送信装置３（ＡＶデータ受信装置４）からのＯＫ信号又はＮＧ信号を受信すると（ＳＴＥＰ７）、ＩＤ交換制御部５７２において、受信した信号がＯＫ信号か否か確認される（ＳＴＥＰ８）。そして、ＯＫ信号が受信されて交換されたことが確認されると（Ｙｅｓ）、送信用ＩＤ記憶部５７０（受信用ＩＤ記憶部５７１）に格納されている元の送信用ＩＤコード（受信用ＩＤコード）が削除される（ＳＴＥＰ９）。
【０１００】
その後、ＳＴＥＰ３で受信された新しい送信用ＩＤコード（受信用ＩＤコード）がＩＤ一時記憶部５７５より読み出されて、送信用ＩＤ記憶部５７０（受信用ＩＤ記憶部５７１）に格納され（ＳＴＥＰ１０）、ＩＤ管理用リモコン５は動作を終了する。又、ＳＴＥＰ４又はＳＴＥＰ８でＮＧ信号が受信されたことが確認されたとき（Ｎｏ）、又は、ＳＴＥＰ１２送信用ＩＤコード（受信用ＩＤコード）が破棄されたとき、ＩＤ管理用リモコン５は動作を終了する。
【０１０１】
尚、上述のように動作を行ってＩＤ交換が行われる際、ＡＶデータ送信装置３（ＡＶデータ受信装置４）において、予め、ＩＤコード交換のためのスイッチを操作するなどして、ＩＤ交換動作を行うことを指示し、ＩＤ交換動作専用の受信状態としても構わない。
【０１０２】
このようなフローチャートに従って動作するとき、ＡＶデータ送信装置３と管理用リモコン５との間では、図７のように信号のやりとりを行う。即ち、送信用ＩＤコードとしてＩＤコードＣを送信用ＩＤ記憶部５７０に格納しているＩＤ管理用リモコン５よりＩＤ交換要求信号が送信される。このとき、ＩＤ一時記憶部５７５にはＩＤコードが格納されていない。送信用ＩＤコードとしてＩＤコードＡをＩＤ記憶部５２０に格納しているＡＶデータ送信装置３は、ＩＤ交換要求信号を受信すると、交換可能であることを確認した後、ＩＤコードＡを送信する。
【０１０３】
ＩＤ管理用リモコン５でＩＤコードＡが受信されると、交換可能であることが確認された後、このＩＤコードＡがＩＤ一時記憶部５７５に格納されるとともに、送信用ＩＤ記憶部５７０に格納されたＩＤコードＣが送信される。そして、ＡＶデータ送信装置３でＩＤコードＣが受信されると、交換可能であることが確認された後、ＯＫ信号を送信する。その後、ＩＤコード記憶部５２０に格納されているＩＤコードＡを削除した後、ＩＤコード記憶部５２０にＩＤコードＣを新たな送信用ＩＤコードとして格納する。
【０１０４】
又、ＩＤ管理用リモコン５でＯＫ信号が受信されると、ＡＶデータ送信装置３でＩＤコードの交換が正常に行われたことが確認され、送信用ＩＤ記憶部５７０に記憶したＩＤコードＣを削除した後、ＩＤ一時記憶部５７５に格納されているＩＤコードＡを読み出す。そして、このＩＤコードＡを新たな送信用ＩＤコードとして送信用ＩＤ記憶部５７０に格納する。このようにして、ＡＶデータ送信装置３とＩＤ管理用リモコン５との間で、送信用ＩＤコードであるＩＤコードＡ，Ｃの交換が行われる。
【０１０５】
このようにしてＩＤコードの交換が行われるときの、ＩＤコードの構成例について、以下に説明する。又、それぞれのＩＤコードを使用したときのＩＤコードの確認動作についてもともに説明する。
【０１０６】
（ＩＤコードの第１構成例）
本例におけるＩＤコードの構成は、図８（ａ）のように、００００  ００００  ００００〜ＦＦＦＦ  ＦＦＦＦ  ＦＦＦＦのように、１６進数１２桁で表され、００００  ００００  ００００がＩＤコードが記録されていない空の状態を示す値を表すものとし、ＦＦＦＦ  ＦＦＦＦ  ００００〜ＦＦＦＦ  ＦＦＦＦ  ＦＦＦＦが一般的に使用できない無効なＩＤコードであるものとする。又、００００  ００００  ００００は、使用は不可能であるが交換可能であり、ＦＦＦＦ  ＦＦＦＦ  ００００〜ＦＦＦＦ  ＦＦＦＦ  ＦＦＦＦは一般的に使用不可能であるとともに交換も不可能である。更に、このＦＦＦＦ  ＦＦＦＦ  ００００〜ＦＦＦＦ  ＦＦＦＦ  ＦＦＦＦは、テスト用などに利用されるＩＤコードとしても構わない。よって、使用可能であるとともに交換可能な有効なＩＤコードは、００００  ００００  ０００１〜ＦＦＦＦ  ＦＦＦＥ  ＦＦＦＦである。
【０１０７】
このようにＩＤコードの構成が設定されているとき、ＡＶデータ送信装置３及びＡＶデータ受信装置４において、ＡＶデータやリモコンデータなどの送受信が行われるとき、図９のフローチャートに従って、ＩＤ記憶部５２０，５６０に格納しているＩＤコードが確認される。即ち、データスクランブル５０７，５５７及びスクランブル解除部５１２，５４４でＩＤ記憶部５２０，５６０からＩＤコードが読み出されると（ＳＴＥＰ５１）、読み出したＩＤコードが使用可能（有効）か不可能（無効）か確認される（ＳＴＥＰ５２）。そして、有効であると認識されたとき（Ｙｅｓ）、そのまま送受信動作が行われ（ＳＴＥＰ５３）、無効であると認識されたとき（Ｎｏ）、送受信動作が禁止される（ＳＴＥＰ５４）。
【０１０８】
即ち、ＩＤコードが００００  ００００  ０００１〜ＦＦＦＦ  ＦＦＦＥ  ＦＦＦＦであるとき、ＳＴＥＰ５２で有効であると認識されるため、ＳＴＥＰ５３に移行して送受信動作が行われる。また、ＩＤコードが００００  ００００  ００００又はＦＦＦＦ  ＦＦＦＦ  ００００〜ＦＦＦＦ  ＦＦＦＦ  ＦＦＦＦであるとき、ＳＴＥＰ５２で無効であると認識されるため、ＳＴＥＰ５４に移行して送受信動作が禁止される。
【０１０９】
又、ＡＶデータ送信装置３又はＡＶデータ受信装置４が、ＩＤ管理用リモコン５とＩＤコードの交換を行っているとき、図６のフローチャートにおけるＳＴＥＰ５及びＳＴＥＰ２６において、受信したＩＤコードが交換可能か否かが確認される。即ち、ＳＴＥＰ５では、ＩＤ管理用リモコン５が、受信したＩＤコードが交換可能な００００  ００００  ００００〜ＦＦＦＦ  ＦＦＦＥ  ＦＦＦＦであるか否かを確認し、又、ＳＴＥＰ２６では、ＡＶデータ送信装置３又はＡＶデータ受信装置４が、受信したＩＤコードが交換可能な００００  ００００  ００００〜ＦＦＦＦ  ＦＦＦＥ  ＦＦＦＦであるか否かを確認する。そして、受信したＩＤコードがＦＦＦＦ  ＦＦＦＦ  ００００〜ＦＦＦＦ  ＦＦＦＦ  ＦＦＦＦであるとき、交換不可能であるため、交換動作を終了する。
【０１１０】
又、本例において、ＡＶデータ送信装置３やＡＶデータ受信装置４の出荷時には、初期設定として空を示すＩＤコード００００  ００００  ００００をＩＤ記憶部５２０，５６０に記憶させ、ＩＤ管理用リモコン５とＩＤコードを交換して初めて送受信可能なシステムを構成することができる。即ち、ＩＤ管理用リモコン５に無線通信システムを構成するＡＶデータ送信機３及びＡＶデータ受信機４のＩＤコード記憶させておき、空を示すＩＤコード００００  ００００  ００００を記憶させたＡＶデータ送信機３及びＡＶデータ受信機４とともに販売するようにすれば、ＩＤコードの出荷管理を管理用リモコン５のみで行うことができる。よって、ＩＤコードの販売会社（リモコン販売会社）とＡＶデータ送信機やＡＶデータ受信機の製造会社又は販売会社とが別でも、ＩＤコードの販売会社のみでＩＤコードの管理ができ、ＩＤコードの重複発行等を防ぐことできる。
【０１１１】
（ＩＤコードの第２構成例）
本例におけるＩＤコードの構成も、第１構成例と同様、図８（ｂ）のように、１６進数１２桁で表される。そして、第１構成例で使用可能であるとともに交換可能とされたＩＤコード００００  ００００  ０００１〜ＦＦＦＦ  ＦＦＦＥ  ＦＦＦＦが、ＡＶデータ送信機やＡＶデータ受信機の製造会社又は販売会社のうち、特定の会社毎に有効になるように設定される。即ち、００００  ００００  ０００１〜ＡＡＡ９  ＦＦＦＦ  ＦＦＦＦ及びＡＡＡＢ  ００００  ００００〜ＦＦＦＦ  ＦＦＦＥ  ＦＦＦＦをＡ社以外の会社用のＩＤコードと設定し、ＡＡＡＡ  ００００  ００００〜ＡＡＡＡ  ＦＦＦＦ  ＦＦＦＦをＡ社用のＩＤコードと設定する。００００  ００００  ００００及びＦＦＦＦ  ＦＦＦＦ  ００００〜ＦＦＦＦ  ＦＦＦＦ  ＦＦＦＦについては、第１構成例と同様の設定とする。
【０１１２】
このようにＩＤコードの構成が設定されているとき、ＡＶデータ送信装置３又はＡＶデータ受信装置４が、ＩＤ管理用リモコン５とＩＤコードの交換を行っているとき、図６のフローチャートにおけるＳＴＥＰ２６において、受信したＩＤコードが交換可能か否かが確認される。即ち、Ａ社のＡＶデータ送信装置３又はＡＶデータ受信装置４である場合、ＳＴＥＰ２６において、ＡＶデータ送信装置３又はＡＶデータ受信装置４が、受信したＩＤコードが交換可能なＡＡＡＡ  ００００  ００００〜ＡＡＡＡ  ＦＦＦＦ  ＦＦＦＦであるか否かを確認する。又、このとき、上位の４桁がＡＡＡＡのＩＤコードであることから、Ａ社用のＩＤコードであることを判断するようにしても構わない。
【０１１３】
よって、本構成例によると、特定の会社のＡＶデータ送受信装置において、その特定の会社用のＩＤコードのみが利用可能であるため、他の会社で利用されるＩＤコードの使用を禁止することができる。又、特定の会社のＡＶデータ送受信装置及びＩＤ管理リモコンでの通信が行うことができるように制限することができる。
【０１１４】
（ＩＤコードの第３構成例）
本例におけるＩＤコードの構成は、図１０のように、第１構成例及び第２構成例よりも４桁多い、１６進数１６桁で表され、最上位４桁ＸＸＸＸを冗長部として設ける。尚、本例では、図８（ｂ）のように設定されたＩＤコードそれぞれにＸＸＸＸを冗長部として付加した構成とする。このように構成したとき、最下位から４桁毎に区切り、冗長部となるＸＸＸＸと他の３つの４桁とのＸＯＲをとることによって、ＩＤコードが不正なものであるか否かを確認することができる。
【０１１５】
このようなＡＶデータ用の無線通信システムに用いられるＩＤ管理システムにおける動作例を、図１１〜図１３を参照して以下に説明する。今、図１１（ａ）のように、送信用ＩＤデータＡを記録したＡＶデータ送信装置３と受信用ＩＤデータＡを記録したＡＶデータ受信装置６とによって無線通信システムが構成されるとともに、送信用ＩＤデータＢを記録したＡＶデータ送信装置７と受信用ＩＤデータＢを記録したＡＶデータ受信装置４とによって無線通信システムが構成される。又、ＩＤ管理用リモコン５には、図１及び図１１（ａ）のように、送信用ＩＤデータＣ及び受信用ＩＤデータＣがそれぞれ送信用ＩＤ記憶部５７０及び受信用ＩＤ記憶部５７１に格納されている。
【０１１６】
このとき、ＡＶデータ送信装置３とＡＶデータ受信装置４との間では通信ができない。又、ＡＶデータ受信装置６とＡＶデータ送信装置７との間では通信ができない。そして、図１及び図１１（ｂ）のように、ＩＤ管理リモコン５とＡＶデータ送信装置３との間で通信を行うことで送信用ＩＤコードの交換を行う。よって、ＩＤ管理リモコン５の送信用ＩＤ記憶部５７０に送信用ＩＤコードＡが格納されるとともに、ＡＶデータ送信装置３のＩＤ記憶部５２０に送信用ＩＤコードＣが格納される。
【０１１７】
又、図１及び図１１（ｃ）のように、ＩＤ管理リモコン５とＡＶデータ受信装置４との間で通信を行うことで受信用ＩＤコードの交換を行う。よって、ＩＤ管理リモコン５の受信用ＩＤ記憶部５７１に受信用ＩＤコードＢが格納されるとともに、ＡＶデータ受信装置４のＩＤ記憶部５６０に受信用ＩＤコードＣが格納される。このようにすることで、図１２のように、ＡＶデータ送信装置３に格納されていた送信用ＩＤコードＡとＡＶデータ受信装置４に格納されていた受信用ＩＤコードＢとがともにＩＤコードＣに交換されて、ＡＶデータ送信装置３及びＡＶデータ受信装置４の間で無線通信システムを確立することができる。
【０１１８】
そして、図１１（ｄ）のように、ＩＤ管理リモコン５とＡＶデータ受信装置６との間で通信を行うことで受信用ＩＤコードの交換を行う。よって、ＩＤ管理リモコン５の受信用ＩＤ記憶部５７１に受信用ＩＤコードＡが格納されるとともに、ＡＶデータ受信装置６のＩＤ記憶部５６０に受信用ＩＤコードＢが格納される。このようにすることで、図１１（ｅ）及び図１３のように、ＡＶデータ受信装置６に格納されていた受信用ＩＤコードＡがＩＤコードＢに交換されて、ＡＶデータ送信装置７が格納している送信用ＩＤコードと同一のＩＤコードＢを格納することとなり、ＡＶデータ送信装置７及びＡＶデータ受信装置６の間でも無線通信システムを確立することができる。
【０１１９】
＜第２の実施形態＞
本発明の第２の実施形態について、図面を参照して説明する。尚、本実施形態のＡＶデータの無線通信システムにおけるＩＤ管理システムにおいて、第１の実施形態と同一の目的で使用する部分については、同一の符号を付してその詳細な説明は省略する。
【０１２０】
本実施形態では、ＩＤ管理用アイコン５ａが、図１４に示すように、図５の構成から受信用ＩＤ記憶部５７１が省かれた構成となる。即ち、ＩＤ管理用アイコン５ａは、送信用ＩＤコードのみしか格納できず、ＡＶデータ送信装置とのみＩＤコードの交換を行う。又、このＩＤ管理用アイコン５ａは、その初期状態において、送信用ＩＤ記憶部５７０は空の状態とされる。即ち、図８のようなＩＤコードが利用されるとき、００００  ００００  ００００が送信用ＩＤ記憶部５７０に格納された状態とされる。
【０１２１】
このようなＩＤ管理用アイコン５ａを用いてＩＤコードの交換が行われる際の状態遷移を、図１５を参照して説明する。尚、図１５において、記憶部内でＩＤコードが空の状態について、「ＮＯＮ」と表示する。又、第１の実施形態における図１１（ａ）の場合と同様、図１５（ａ）のように、送信用ＩＤデータＡを記録したＡＶデータ送信装置３と受信用ＩＤデータＡを記録したＡＶデータ受信装置６とによって、又は、送信用ＩＤデータＢを記録したＡＶデータ送信装置７と受信用ＩＤデータＢを記録したＡＶデータ受信装置４とによって、それぞれの無線通信システムが構成される。更に、ＩＤ管理用アイコン５ａには、コードのないＩＤコードが記録されている。
【０１２２】
このとき、ＡＶデータ送信装置３とＡＶデータ受信装置４との間では通信ができない。又、ＡＶデータ受信装置６とＡＶデータ送信装置７との間では通信ができない。そして、図１５（ｂ）のように、ＩＤ管理リモコン５ａとＡＶデータ送信装置３との間で通信を行うことで送信用ＩＤコードの交換を行う。よって、ＩＤ管理リモコン５ａの送信用ＩＤ記憶部５７０に送信用ＩＤコードＡが格納されるとともに、ＡＶデータ送信装置３のＩＤ記憶部５２０が空となる。
【０１２３】
次に、図５（ｃ）のように、ＩＤ管理リモコン５ａとＡＶデータ送信装置７との間で通信を行うことで送信用ＩＤコードの交換を行う。よって、ＩＤ管理リモコン５ａの送信用ＩＤ記憶部５７０に送信用ＩＤコードＢが格納されるとともに、ＡＶデータ送信装置７のＩＤ記憶部５２０に送信用ＩＤコードＡが格納される。このようにすることで、ＡＶデータ送信装置７に格納されていた送信用ＩＤコードＢがＩＤコードＡに交換されて、ＡＶデータ受信装置６が格納している受信用ＩＤコードと同一のＩＤコードＡを格納することとなり、ＡＶデータ送信装置７及びＡＶデータ受信装置６の間で無線通信システムを確立することができる。
【０１２４】
そして、図１５（ｄ）のように、再び、ＩＤ管理リモコン５ａとＡＶデータ送信装置３との間で通信を行うことで送信用ＩＤコードの交換を行う。よって、ＩＤ管理リモコン５ａの送信用ＩＤ記憶部５７０が空の状態となるとともに、ＡＶデータ送信装置３のＩＤ記憶部５２０に送信用ＩＤコードＢが格納される。このようにすることで、図１５（ｅ）のように、ＡＶデータ送信装置３にＩＤコードＢが格納されて、ＡＶデータ受信装置４が格納している受信用ＩＤコードと同一のＩＤコードＢを格納することとなり、ＡＶデータ送信装置３及びＡＶデータ受信装置４の間でも無線通信システムを確立することができる。
【０１２５】
尚、本実施形態では、ＩＤ管理用リモコン５ａとして、図１４のように送信用ＩＤ記憶部５７０のみを備えた構成のリモコンを例に挙げて説明したが、図１６のように受信用ＩＤ記憶部５７１のみを備えた構成のリモコンとしても構わない。このとき、送信用ＩＤ記憶部５７０を省いた構成となり、ＡＶデータ受信装置のみとしかＩＤコードの交換ができないため、ＡＶデータ受信装置とＩＤコードを交換することによって、無線通信システムの構成を切り換える。
【０１２６】
又、本実施形態において、ＩＤ管理用リモコンに記録されたＩＤコードの記憶部における初期状態を空の状態としたが、別の有効なＩＤコードを記憶させていても構わない。このように、別の有効なＩＤコードが記憶されてＡＶデータ送信装置又はＡＶデータ受信装置と交換されたとしても、ＩＤ管理システム全体でＩＤコードの増減があるわけではなく、送受信の組合せを変更可能にするのみである。よって、発行されたＩＤコードの管理は、第１の実施形態と同様に行うことができる。
【０１２７】
更に、本実施形態において、ＩＤ管理用リモコンに送信用ＩＤコードのみが記録されるとき、ＡＶデータ受信装置は、その構成から受信用ＩＤコードを交換するためのブロック部分５６１〜５６３（図３）を省くことができる。又、ＩＤ管理用リモコンに受信用ＩＤコードのみが記録されるとき、ＡＶデータ送信装置は、その構成から送信用ＩＤコードを交換するためのブロック部分５２１〜５２３（図２）を省くことができる。
【０１２８】
＜第３の実施形態＞
本発明の第３の実施形態について、図面を参照して説明する。尚、本実施形態のＡＶデータの無線通信システムにおけるＩＤ管理システムにおいて、第１の実施形態と同一の目的で使用する部分については、同一の符号を付してその詳細な説明は省略する。
【０１２９】
本実施形態では、ＩＤ管理用リモコンを使用せず、図１７のように、直接、ＡＶデータ送信装置同士で送信用ＩＤコードが交換される。このとき、まず、第１の実施形態における図１１（ａ）の場合と同様、図１７（ａ）のように、送信用ＩＤデータＡを記録したＡＶデータ送信装置３と受信用ＩＤデータＡを記録したＡＶデータ受信装置６とによって、又は、送信用ＩＤデータＢを記録したＡＶデータ送信装置７と受信用ＩＤデータＢを記録したＡＶデータ受信装置４とによって、それぞれの無線通信システムが構成される。
【０１３０】
即ち、ＡＶデータ送信装置３とＡＶデータ受信装置４との間では通信ができない。又、ＡＶデータ受信装置６とＡＶデータ送信装置７との間では通信ができない。そして、図１７（ｂ）のように、ＡＶデータ送信装置３，７の間で通信を行うことで送信用ＩＤコードの交換を行う。よって、ＡＶデータ送信装置３，７それぞれのＩＤ記憶部５２０に送信用ＩＤコードＢ，Ａが格納される。
【０１３１】
このようにすることで、図１７（ｃ）のように、ＡＶデータ送信装置３に格納されていた送信用ＩＤコードＡがＩＤコードＢに交換されて、ＡＶデータ受信装置４が格納している受信用ＩＤコードと同一のＩＤコードＢを格納することとなり、ＡＶデータ送信装置３及びＡＶデータ受信装置４の間で無線通信システムを確立することができる。又、同時に、ＡＶデータ送信装置７に格納されていた送信用ＩＤコードＢがＩＤコードＡに交換されて、ＡＶデータ受信装置６が格納している受信用ＩＤコードと同一のＩＤコードＡを格納することとなり、ＡＶデータ送信装置７及びＡＶデータ受信装置６の間でも無線通信システムを確立することができる。
【０１３２】
尚、本実施形態では、ＡＶデータ送信装置間でＩＤコードの交換が行われるものとしたが、ＡＶデータ受信装置間でＩＤコードの交換が行われるものとしても構わない。又、ＡＶデータ送信装置間でＩＤコードの交換が行われる場合は、ＡＶデータ受信装置は、その構成から受信用ＩＤコードを交換するためのブロック部分５６１〜５６３（図３）を省くことができる。又、ＡＶデータ受信装置間でＩＤコードの交換が行われる場合は、ＡＶデータ送信装置は、その構成から送信用ＩＤコードを交換するためのブロック部分５２１〜５２３（図２）を省くことができる。
【０１３３】
更に、本実施形態では、ＡＶデータ送信装置やＡＶデータ受信装置で容易に移動可能である場合において有効であり、直接ＩＤコードが交換されるため、ＩＤ管理用リモコンなどのＩＤコードを変換するための他の電子機器を省略することができる。又、本実施形態においても、有効なＩＤの数は増減することはない。
【０１３４】
＜第４の実施形態＞
本発明の第４の実施形態について、図面を参照して説明する。尚、本実施形態のＡＶデータの無線通信システムにおけるＩＤ管理システムにおいて、第１の実施形態と同一の目的で使用する部分については、同一の符号を付してその詳細な説明は省略する。
【０１３５】
本実施形態では、第１の実施形態と異なり、ＡＶデータ送信装置又はＡＶデータ受信装置において、無線通信システムを構成するために使用するＩＤコードが複数備えられる。尚、本実施形態では、図１８のように、２つの送信用ＩＤコードが格納されるＩＤ記憶部５２０ａを備えたＡＶデータ送信装置を例に挙げて説明する。
【０１３６】
このＡＶデータ送信装置内に設けられたＩＤ記憶部５２０ａには、１つ目のＩＤコードを格納するＩＤ１記憶領域５８１と、ＩＤ記憶領域５８１に記憶されたＩＤコードと異なる２つ目のＩＤコードを格納するＩＤ記憶領域５８２とが備えられる。このように、ＩＤ記憶部５２０ａには、２つの異なるＩＤコードがＩＤ記憶領域５８１，５８２それぞれに格納される。
【０１３７】
このようにＩＤ記憶部５２０ａが構成されるとき、ＡＶデータ受信装置と無線通信を行う際、図１９のフローチャートに従って、格納されたＩＤコードで確認される。まず、データスクランブル５０７及びスクランブル解除部５１２でＩＤ記憶部５２０ａのＩＤ記憶領域５８１から送信用ＩＤコードαが読み出されると（ＳＴＥＰ７１）、ＩＤコードαが使用可能（有効）か否かが確認される（ＳＴＥＰ７２）。
【０１３８】
そして、このＩＤコードαが使用不可能（無効）である場合（Ｎｏ）、データスクランブル５０７及びスクランブル解除部５１２でＩＤ記憶部５２０ａのＩＤ記憶領域５８２から送信用ＩＤコードβが読み出される（ＳＴＥＰ７３）。そして、このＩＤコードβが有効か否かが確認される（ＳＴＥＰ７４）。このとき、ＩＤコードβが無効である場合（Ｎｏ）、送受信動作が禁止される（ＳＴＥＰ７７）。又、ＳＴＥＰ７２でＩＤコードαが有効であることが確認されると（Ｙｅｓ）、ＩＤコードαを用いて信号の送受信が行われる（ＳＴＥＰ７５）。更に、ＳＴＥＰ７４でＩＤコードβが有効であることが確認されると（Ｙｅｓ）、ＩＤコードβを用いて信号の送受信が行われる（ＳＴＥＰ７６）。
【０１３９】
このように無線通信を行う際のＩＤコードが確認されるとき、出荷時に、ＩＤ記憶領域５８１を空の状態（図８のようにＩＤコードを設定したときに、００００  ００００  ００００を格納した状態）とするとともに、ＩＤ記憶領域５８２に使用可能な送信用ＩＤコードを記録すると、交換が行われるまでＩＤ記憶領域５８２に格納された送信用ＩＤコードが使用されて、ＡＶデータ受信装置と無線通信を行う。そして、ＩＤ管理用リモコン５によって送信用ＩＤコードが交換される際、ＩＤ記憶領域５８１でのみ交換が行われるようにする。
【０１４０】
よって、送信用ＩＤコードの交換後は、ＩＤ記憶領域５８１で格納された送信用ＩＤコードが有効となるため、ＩＤ記憶領域５８１に格納された送信用ＩＤコードを利用してＡＶデータ受信装置と無線通信を行う。又、初期化したとき、ＩＤ記憶領域５８１が空の状態となって、再び、ＩＤ記憶領域５８２に記録された送信用ＩＤコードが使用されるものとしても構わない。このようにすることで、本実施形態においても、使用又は交換するのに有効となるＩＤコードの数が増減することなく、ＩＤコードの管理を行うことができる。
【０１４１】
尚、本実施形態では、ＡＶデータ送信装置を代表して説明したが、ＡＶデータ受信装置についても同様にして、内部に設けられたＩＤ記憶部に複数の受信用ＩＤコードが格納されるように、複数のＩＤ記憶領域が設けられる。又、ＡＶデータ送信装置と無線通信を行う際のＩＤコードの確認動作については、ＡＶデータ送信装置と同様、図１９のフローチャートに従って行われる。更に、出荷時の受信用ＩＤコードの格納及びＩＤ管理用リモコン内のＩＤコードとの交換についても、ＡＶデータ送信装置と同様の動作を行う。
【０１４２】
＜第５の実施形態＞
本発明の第５の実施形態について、図面を参照して説明する。尚、本実施形態のＡＶデータの無線通信システムにおけるＩＤ管理システムにおいて、第１の実施形態と同一の目的で使用する部分については、同一の符号を付してその詳細な説明は省略する。
【０１４３】
本実施形態では、第１の実施形態と異なり、ＡＶデータ送信装置が複数のＡＶデータ受信装置とＡＶデータの無線通信システムを構成するために、１つの送信ＩＤコードに対して使用する受信用ＩＤコードが複数備えられる。よって、ＩＤ管理用リモコン５ｃが、図２０のように、受信用ＩＤ記憶部５７１ａに、複数のＩＤ記憶領域５９１〜５９３が備えられる。尚、本実施形態では、１つのＡＶデータ送信装置が３つのＡＶデータ受信装置と無線通信システムが構成されるものとするが、この数に限定されるものではない。
【０１４４】
又、ＩＤ管理用リモコン５ｃは、図２２に示すように、ＩＤ記憶領域５９１〜５９３それぞれに格納された受信用ＩＤコードの交換を指示するためのＲＸキー５４ａ〜５４ｃを備える。よって、ＲＸキー５４ａが操作されるとＩＤ記憶領域５９１に格納された受信用ＩＤコードが交換され、又、ＲＸキー５４ｂが操作されるとＩＤ記憶領域５９２に格納された受信用ＩＤコードが交換され、又、ＲＸキー５４ｃが操作されるとＩＤ記憶領域５９３に格納された受信用ＩＤコードが交換される。
【０１４５】
このように、ＩＤ管理用リモコン５ｃが構成されるときのＩＤコードの交換動作について説明する。今、図２１（ａ）のように、ＡＶデータ送信装置６０及びＡＶデータ受信装置６１とがＩＤコードＡで無線通信システムＸを、又、ＡＶデータ送信装置６２及びＡＶデータ受信装置６３とがＩＤコードＢで無線通信システムＹを、又、ＡＶデータ送信装置６４及びＡＶデータ受信装置６５とがＩＤコードＣで無線通信システムＺを、構築しているものとする。
【０１４６】
このようなＩＤ管理用リモコン５ｃにおいて、交換キー５２とＴＸキー５３が操作されることで、送信用ＩＤ記憶部５７０に格納された送信用ＩＤコードＤがＡＶデータ送信装置６０内のＩＤ記憶部５２０に格納された送信用ＩＤコードと交換される。今、図２２（ａ）のように、ＡＶデータ送信装置６０と送信用ＩＤコードが交換されるものとすると、図２２（ｂ）のように、ＡＶデータ送信装置６０のＩＤ記憶部５２０に送信用ＩＤコードＤが格納されるとともにＩＤ管理用リモコン５ｃの送信用ＩＤ記憶部５７０に送信用ＩＤコードＡが格納される。
【０１４７】
そして、交換キー５２とＲＸキー５４ａが操作されて、ＩＤ記憶領域５９１に格納された受信用ＩＤコードＤがＡＶデータ受信装置６１内のＩＤ記憶部５６０に格納された受信用ＩＤコードＡと交換される。又、交換キー５２とＲＸキー５４ｂが操作されて、ＩＤ記憶領域５９２に格納された受信用ＩＤコードＤがＡＶデータ受信装置６３内のＩＤ記憶部５６０に格納された受信用ＩＤコードＢと交換される。交換キー５２とＲＸキー５４ｃが操作されて、ＩＤ記憶領域５９３に格納された受信用ＩＤコードＤがＡＶデータ受信装置６５内のＩＤ記憶部５６０に格納された受信用ＩＤコードＣと交換される。
【０１４８】
よって、図２２（ｂ）のように、ＡＶデータ受信装置６１，６３，６５のＩＤ記憶部５６０には、受信用ＩＤコードＤが格納され、又、ＩＤ管理用リモコン５ｃの受信用ＩＤ記憶部５７１におけるＩＤ記憶領域５９１〜５９３には、それぞれ、受信用ＩＤコードＡ〜Ｃが格納される。即ち、図２１（ｂ）のように、ＡＶデータ送信装置６０から送信されるＡＶデータをＡＶデータ受信装置６１，６３，６５で同時に受信することが可能な無線通信システムＷが、ＡＶデータ送信装置６０及びＡＶデータ受信装置６１，６３，６５によって構築される。
【０１４９】
このように、本実施形態によると、既存の１対１に固定された通信環境を、１対複数の通信環境に変更することが可能となる。又、ＩＤ管理用リモコンに予め記憶された受信用ＩＤコードの個数のみしかＡＶデータ受信装置を１つの無線通信システム内に組み入れることができないので、ＡＶデータのコンテンツを作成する側が許可する数のみＡＶデータ受信装置を組み入れるように限定することができ、不正な受信を排除することができる。
【０１５０】
又、本実施形態において、送信用ＩＤコードＡを備えるＡＶデータ送信装置６０と受信用ＩＤコードＡを備えるＡＶデータ受信装置６１との間でＡＶデータ無線通信システムＸが構成されるとき、図２３（ａ）のように、このＡＶデータ送信装置６０及びＡＶデータ受信装置６１のＡＶデータ無線通信システムに、受信用ＩＤコードを備えていない（受信用ＩＤコードが００００  ００００  ００００である場合も含む）ＡＶデータ受信装置６３ａ及び受信用ＩＤコードＣを備えるＡＶデータ受信装置６５を加える。
【０１５１】
このとき、ＩＤ管理用リモコン５ｃが、ＡＶデータ送信装置６０及びＡＶデータ受信装置６１，６３ａ，６５それぞれと通信を行うことによって、図２３（ｂ）のように、ＡＶデータ送信装置６０が送信用ＩＤコードＤを格納するとともに、ＡＶデータ受信装置６１，６３ａ，６５が受信用ＩＤコードＤを格納する。よって、ＡＶデータ送信装置６０とＡＶデータ受信装置６１，６３ａ，６５とによって、ＡＶデータ無線通信システムＷが構成される。
【０１５２】
このとき、ＩＤ管理用リモコン５ｃには、送信用ＩＤ記憶部５７０にＩＤコードＡが格納されるとともに、ＩＤ記憶領域５９１，５９３にＩＤコードＡ，Ｃが格納される。又、ＩＤ記憶領域５９２は空の状態となっている。尚、ＡＶデータ受信装置６３ａの受信用ＩＤコードが００００  ００００  ００００のときは、ＩＤ記憶領域５９２に格納されるＩＤコードは００００  ００００  ００００である。
【０１５３】
＜第６の実施形態＞
本発明の第６の実施形態について、図面を参照して説明する。尚、本実施形態のＡＶデータの無線通信システムにおけるＩＤ管理システムにおいて、第１の実施形態と同一の目的で使用する部分については、同一の符号を付してその詳細な説明は省略する。
【０１５４】
本実施形態では、第１の実施形態と異なり、ＡＶデータ送信装置及びＡＶデータ受信装置との間でデータ通信を可能とするためのＩＤコードをＩＤ管理用リモコン内に格納する。よって、本実施形態では、ＡＶデータ送信装置が、図２４のように、図２の構成からＩＤ出力部５２３が省かれた構成となるとともに、ＡＶデータ受信装置が、図２５のように、図３の構成からＩＤ出力部５６３が省かれた構成となる。
【０１５５】
又、ＩＤ管理用リモコン５ｄが、図２６のように、ＩＤコードを格納するＩＤ記憶部５７０ａと、ＩＤ記憶部５７０ａからＩＤコードを読み出すＩＤ管理制御部５７２ａと、ＩＤコードを出力するＩＤ出力部５７４と、ユーザによって操作される入力部５７６とを備える。更に、このＩＤ管理用リモコン５ｄは、図２７の外観図のように、図４と異なり、ＩＤコードの交換を指示する交換キー５２の代わりに、ＩＤコードの設定を指示する設定キー５２ａが設けられる。
【０１５６】
そして、図２８（ａ）のように、図２４のように構成されたＡＶデータ送信装置３ａがＩＤ記憶部５２０に送信用ＩＤコードＡを格納するとともに、図２５のように構成されたＡＶデータ受信装置４ａがＩＤ記憶部５６０に送信用ＩＤコードＢを格納しているため、ＡＶデータ送信装置３ａとＡＶデータ受信装置４ａとの間で通信不可能であるものとする。又、ＩＤ管理用リモコン５ｄが、ＩＤ記憶部５７０ａにＩＤコードＣを格納しているものとする。
【０１５７】
このとき、まず、図２８（ｂ）のように、ＡＶデータ送信装置３ａと通信可能な領域でＩＤ管理用リモコン５ｄの入力部５７６における設定キー５２ａ及びＴＸキー５３が操作される。よって、ＩＤ管理制御部５７２ａよりＩＤ記憶部５７０ａ内のＩＤコードＣが読み出されて、ＩＤ出力部５７４よりＡＶデータ送信装置３ａに送信される。そして、このＩＤコードＣをＡＶデータ送信装置３ａがＩＤ入力部５２２で受信すると、ＩＤ交換制御部５２１によってＩＤ記憶部５２０内のＩＤコードＡがＩＤコードＣに切り換えられる。よって、ＩＤ記憶部５２０内に格納される送信用ＩＤコードがＩＤコードＣとなり、このＩＤコードＣがデータスクランブル部５０７及びスクランブル解除部５１２で使用される。
【０１５８】
次に、図２８（ｃ）のように、ＡＶデータ受信装置４ａと通信可能な領域でＩＤ管理用リモコン５ｄの入力部５７６における設定キー５２ａ及びＲＸキー５４が操作され、ＩＤ記憶部５７０ａ内のＩＤコードＣが読み出されて、ＩＤ出力部５７４よりＡＶデータ受信装置４ａに送信される。そして、このＩＤコードＣをＡＶデータ受信装置４ａがＩＤ入力部５６２で受信すると、ＩＤ記憶部５６０内のＩＤコードＢがＩＤコードＣに切り換えられる。よって、ＩＤ記憶部５６０内に格納される送信用ＩＤコードがＩＤコードＣとなり、このＩＤコードＣがデータスクランブル部５５７及びスクランブル解除部５４４で使用される。
【０１５９】
このように動作することで、図２８（ｄ）のように、ＡＶデータ送信装置３ａのＩＤ記憶部５２０及びＡＶデータ受信装置４ａのＩＤ記憶部５６０それぞれにＩＤコードＣが格納された状態となり、ＡＶデータ送信装置３ａ及びＡＶデータ受信装置４ａの間でＡＶデータ無線通信システムが構築される。即ち、ＡＶデータ受信装置４ａがＡＶデータ送信装置３ａから送信されるＩＤコードＣで暗号化されたＡＶデータを受信したとき、同一のＩＤコードＣで暗号化解除することができる。又、ＡＶデータ送信装置３ａがＡＶデータ受信装置４ａから送信されるＩＤコードＣで暗号化されたリモコンデータなどを受信したとき、同一のＩＤコードＣで暗号化解除することができる。このようにして、ＡＶデータ送信装置３ａ及びＡＶデータ受信装置４ａの間で通信が行うことが可能となる。
【０１６０】
又、このとき、図２９に示すように、１台のＡＶデータ送信装置３ａ及び複数台のＡＶデータ受信装置４ａそれぞれに対して、ＩＤ管理用リモコン５ｄがＩＤ記憶部５７０ａ内のＩＤコードＣを送信することで、１台のＡＶデータ送信装置３ａから送信されるＡＶデータが複数台のＡＶデータ受信装置４ａで受信される１つのＡＶデータ無線通信システムを構築することができる。
【０１６１】
即ち、図２９（ａ）のように、ＩＤ記憶部５２０にＩＤコードａを備えたＡＶデータ送信装置３ａと、ＩＤ記憶部５６０にＩＤコードｂ１〜ｂｎを備えたｎ台のＡＶデータ受信装置４ａとが存在するとき、ＡＶデータ送信装置３ａ及びｎ台のＡＶデータ受信装置４ａそれぞれに対してＩＤ管理用リモコン５ｄがＩＤコードＣを送信する。このとき、ＡＶデータ送信装置３ａ及びｎ台のＡＶデータ受信装置４ａそれぞれと通信可能な領域で、ＩＤ管理用リモコン５ｄに対して上述と同様の操作が成される。よって、図２９（ｂ）のように、ＡＶデータ送信装置３ａ及びｎ台のＡＶデータ受信装置４ａそれぞれにＩＤコードＣが格納されることとなる。
【０１６２】
そして、ＡＶデータ送信装置３ａよりＩＤコードＣで暗号化されたＡＶデータが送信されるとともに、このＡＶデータを受信したｎ台のＡＶデータ受信装置４ａがそれぞれＩＤコードＣによっって暗号化解除することができる。そのため、ＡＶデータ送信装置３ａからのＡＶデータを受信したｎ台のＡＶデータ受信装置４ａが、自機器又はＡＶ再生装置２で再生出力させることができる。
【０１６３】
＜第７の実施形態＞
本発明の第７の実施形態について、図面を参照して説明する。尚、本実施形態のＡＶデータの無線通信システムにおけるＩＤ管理システムにおいて、第６の実施形態と同一の目的で使用する部分については、同一の符号を付してその詳細な説明は省略する。
【０１６４】
本実施形態では、第６の実施形態と異なり、ＩＤ管理用リモコン内に格納されているＩＤコードのＡＶデータ送信装置及びＡＶデータ受信装置への送信回数が制限される。よって、本実施形態では、ＩＤ管理用リモコン５ｅが、図３０のように、図２６に示す構成に、送信用ＩＤコードとしてＩＤコードを送信したことを計数するカウンタ５７７と、受信用ＩＤコードとしてＩＤコードを送信したことを計数するカウンタ５７８とを付加した構成となる。
【０１６５】
このような構成のＩＤ管理用リモコン５ｅは、カウンタ５７７の計数値ｋ１が１となったか否かを、又、カウンタ５７８の計数値ｋ２がｎとなったか否かをそれぞれ、ＩＤ管理制御部５７２ａにおいて確認する。即ち、ＩＤ記憶部５７０ａに格納されるＩＤコードの送信が許可されるＡＶデータ送信装置を１台とするとともに、同じくＩＤコードの送信が許可されるＡＶデータ受信装置の台数をｎ台とする。
【０１６６】
このＩＤ管理用リモコン５ｅがＩＤ記憶部５７０ａに格納したＩＤコードをＡＶデータ送信装置又はＡＶデータ受信装置に送信するときの動作について、図３１のフローチャートを参照して説明する。入力部５７６における設定キー５２ａが操作されてＩＤ記憶部５７０ａに格納されたＩＤコードの送信が指示されると（ＳＴＥＰ１００）、ＴＸキー５３又はＲＸキー５４のいずれが操作されているか否かが確認されることで、ＡＶデータ送信装置及びＡＶデータ受信装置のいずれのＩＤコードを設定するかが確認される（ＳＴＥＰ１０１）。
【０１６７】
このとき、ＴＸキー５３が操作されてＡＶデータ送信装置に対してＩＤコードを送信することが指示されると（Ｙｅｓ）、カウンタ５７７の計数値ｋ１が１となったか否かがＩＤ管理制御部５７２ａにおいて確認される（ＳＴＥＰ１０２）。又、ＲＸキー５４が操作されてＡＶデータ受信装置に対してＩＤコードを送信することが指示されると（Ｎｏ）、カウンタ５７８の計数値ｋ２がｎとなったか否かがＩＤ管理制御部５７２ａにおいて確認される（ＳＴＥＰ１０３）。
【０１６８】
そして、ＳＴＥＰ１０２において、カウンタ５７７の計数値ｋ１が０であるとき（Ｎｏ）、カウンタ５７７の計数値ｋ１が１つ計数される（ＳＴＥＰ１０４）。又、ＳＴＥＰ１０３において、カウンタ５７８の計数値ｋ２がｎでないとき（Ｎｏ）、カウンタ５７８の計数値ｋ２が１つ計数される（ＳＴＥＰ１０５）。ＳＴＥＰ１０４又はＳＴＥＰ１０５において、カウンタ５７７の計数値ｋ１又はカウンタ５７８の計数値ｋ２が計数されると、ＩＤ管理制御部５７２ａによってＩＤ記憶部５７０ａからＩＤコードが読み出されて、ＩＤ出力部５７４から送信される（ＳＴＥＰ１０６）。
【０１６９】
このとき、ＳＴＥＰ１０４からＳＴＥＰ１０６に移行されたとき、ＩＤコードがＡＶデータ送信装置に送信され、又、ＳＴＥＰ１０５からＳＴＥＰ１０６に移行されたとき、ＩＤコードがＡＶデータ受信装置に送信される。そして、ＡＶデータ送信装置のＩＤ記憶部５２０又はＡＶデータ受信装置のＩＤ記憶部５６０に、ＩＤ管理用リモコン５ｅのＩＤ出力部５７４より送信されたＩＤコードが記憶される。
【０１７０】
又、ＳＴＥＰ１０２でカウンタ５７７の計数値ｋ１が１であるとき（Ｙｅｓ）、又は、ＳＴＥＰ１０３でカウンタ５７８の計数値ｋ２がｎであるとき（Ｙｅｓ）、ＩＤコードが送信できないことを示すエラー通知を行う（ＳＴＥＰ１０７）。このようなエラー通知がなされるとき、ＩＤ管理用リモコン５ｅによってエラー通知が成されても構わないし、このエラー通知がＩＤ出力部５７４より、ＩＤ管理用リモコン５ｅと通信を行っているＡＶデータ送信装置又はＡＶデータ受信装置に送信されて、ＡＶデータ送信装置又はＡＶデータ受信装置よりエラー通知が成されても構わない。
【０１７１】
本実施形態のようにすることで、ＩＤ管理用リモコンに格納されたＩＤコードを送信するＡＶデータ送信装置及びＡＶデータ受信装置の台数をそれぞれ制限することができる。よって、ＡＶデータ送信装置１台に対してＡＶデータを送信することができるＡＶデータ受信装置の台数を制限することができる。
【０１７２】
＜第８の実施形態＞
本発明の第８の実施形態について、図面を参照して説明する。尚、本実施形態のＡＶデータの無線通信システムにおけるＩＤ管理システムにおいて、第７の実施形態と同一の目的で使用する部分については、同一の符号を付してその詳細な説明は省略する。
【０１７３】
本実施形態では、第７の実施形態と異なり、ＩＤ管理用リモコンよりＡＶデータ送信装置及びＡＶデータ受信装置それぞれに対して同一のＩＤコードを所定回数送信したとき、又は、ＩＤコードの変更が指示されたとき、新たなＩＤコードを生成する。よって、本実施形態では、ＩＤ管理用リモコン５ｆが、図３２のように、図３０に示す構成に、ＡＶデータ送信装置又はＡＶデータ受信装置にＩＤ出力部５７４より送信するＩＤコードを生成するＩＤ生成部５７９を付加した構成となるとともに、図３３のように、ＩＤコードの変更を促すための変更キー５２ｂが設けられる。
【０１７４】
このような構成のＩＤ管理用リモコン５ｆは、第７の実施形態と同様、カウンタ５７７の計数値ｋ１が１となったか否かを、又、カウンタ５７８の計数値ｋ２がｎとなったか否かをそれぞれ、ＩＤ管理制御部５７２ａにおいて確認する。又、ＩＤ生成部５７９で生成されたＩＤコードはＩＤ記憶部５７０ａに格納される。尚、ＩＤ生成部５７９において、ＩＤコードを生成する際、ＩＤ記憶部５７０ａのＩＤコードに基づいて時間情報などによる乱数設定を行うことで、ＩＤコードが設定されるものとしても構わないし、基礎となるＩＤコードをＩＤ記憶部５７０ａ内に格納し、この基礎となるＩＤコードに基づいて時間情報などによる乱数設定を行うことで、ＩＤコードが設定されるものとしても構わない。
【０１７５】
このＩＤ管理用リモコン５ｆがＩＤ記憶部５７０ａに格納したＩＤコードをＡＶデータ送信装置又はＡＶデータ受信装置に送信するときの動作について、図３４のフローチャートを参照して説明する。尚、図３４のフローチャートにおいて、図３１のフローチャートと同一の動作ステップについては、同一の符号を付す。
【０１７６】
まず、設定キー５２ａが操作されてＩＤ記憶部５７０ａに格納されたＩＤコードの送信が指示されると（ＳＴＥＰ１００）、変更キー５２ｂが操作されて、ＩＤ記憶部５７２ａ内のＩＤコードの変更が指示されたか否かが確認される（ＳＴＥＰ１１０）。このとき、変更キー５２ｂが操作されていないことをＩＤ管理制御部５７２ａで確認すると（Ｎｏ）、ＴＸキー５３及びＲＸキー５４のいずれが操作されているか確認される（ＳＴＥＰ１０１）。
【０１７７】
そして、ＴＸキー５３が操作されたことが確認されると、カウンタ５７７の計数値ｋ１が１であるか否かが確認され（ＳＴＥＰ１０２）、更に、カウンタ５７７の計数値ｋ１が１でないとき、カウンタ５７７の計数値ｋ１が計数される（ＳＴＥＰ１０４）。又、ＲＸキー５４が操作されたことが確認されると、カウンタ５７８の計数値ｋ２がｎであるか否かが確認され（ＳＴＥＰ１０３）、更に、カウンタ５７８の計数値ｋ２がｎでないとき、カウンタ５７８の計数値ｋ２が計数される（ＳＴＥＰ１０５）。
【０１７８】
又、ＳＴＥＰ１１０において変更キー５２ｂの操作が確認された場合（Ｙｅｓ）、ＴＸキー５３及びＲＸキー５４のいずれが操作されているか確認される（ＳＴＥＰ１１１）。そして、ＴＸキー５３が操作されているとき（Ｙｅｓ）、カウンタ５７７の計数値ｋ１が１であるか確認される（ＳＴＥＰ１１２）。又、ＲＸキー５４が操作されているとき（Ｎｏ）、カウンタ５７８の計数値ｋ２がｎであるか確認される（ＳＴＥＰ１１３）。
【０１７９】
ＳＴＥＰ１０２で計数値ｋ１が１であるとき（Ｙｅｓ）、又は、ＳＴＥＰ１０３で計数値ｋ２がｎであるとき（Ｙｅｓ）、又は、ＳＴＥＰ１１２で計数値ｋ１が１でないとき（Ｎｏ）、又は、ＳＴＥＰ１１３で計数値ｋ２がｎでないとき（Ｎｏ）、変更動作を行うか否かを確認するための通知を行う（ＳＴＥＰ１１４）。このとき、エラー通知を行う時と同様、ＩＤ管理用リモコン５ｆによって変更確認通知が成されても構わないし、この変更確認通知がＩＤ出力部５７４より、ＩＤ管理用リモコン５ｆと通信を行っているＡＶデータ送信装置又はＡＶデータ受信装置に送信されて、ＡＶデータ送信装置又はＡＶデータ受信装置より変更確認通知が成されても構わない。そして、変更確認通知が行われたとき、入力部５７６に対してＩＤコードの変更することを了承する操作が行われたか否かをＩＤ管理制御部５７２ａで確認する（ＳＴＥＰ１１５）。
【０１８０】
その後、ＳＴＥＰ１１２で計数値ｋ１が１であるとき（Ｙｅｓ）、又は、ＳＴＥＰ１１３で計数値ｋ２がｎであるとき（Ｙｅｓ）、又は、ＳＴＥＰ１１５でＩＤコードの変更が確認されたとき（Ｙｅｓ）、ＡＶデータ送信装置へのＩＤコードの送信動作が指示されているのか否かが確認される（ＳＴＥＰ１１６）。即ち、ＳＴＥＰ１０１又はＳＴＥＰ１１１でＴＸキー５３が操作されているか否かが確認されたか否かが再度確認されることとなる。このとき、ＴＸキー５３が操作されたことを確認すると（Ｙｅｓ）、カウンタ５７７の計数値ｋ１を１とする（ＳＴＥＰ１１７）。又、ＲＸキー５４が操作されたことを確認すると（Ｎｏ）、カウンタ５７８の計数値ｋ２を１とする（ＳＴＥＰ１１８）。
【０１８１】
そして、ＳＴＥＰ１１７又はＳＴＥＰ１１８において計数値ｋ１又は計数値ｋ２が１とされたとき、ＩＤ管理制御部５７２ａによってＩＤ記憶部５７０ａに格納されたＩＤコードが削除された後（ＳＴＥＰ１１９）、ＩＤ生成部５７９において新たなＩＤコードが生成される（ＳＴＥＰ１２０）。その後、ＩＤ生成部５７９で生成されたＩＤコードがＩＤ管理制御部５７２ａに送出されて、ＩＤ記憶部５７０ａに格納される（ＳＴＥＰ１２１）。
【０１８２】
このようにＳＴＥＰ１２１で新たなＩＤコードがＩＤ記憶部５７０ａに格納されたとき、又は、ＳＴＥＰ１０４又はＳＴＥＰ１０５において計数値ｋ１又は計数値ｋ２が計数されたとき、ＩＤ記憶部５７０ａに格納されたＩＤコードがＩＤ管理制御部５７２ａによって読み出されて、ＩＤ出力部５７４よりＡＶデータ送信装置又はＡＶデータ受信装置に送信される（ＳＴＥＰ１０６）。又、ＳＴＥＰ１１５において、ＩＤコードの変更が拒否されたことが確認されると（Ｎｏ）、ＩＤコードの送信を行わないことを示すエラー通知を行う（ＳＴＥＰ１０７）。
【０１８３】
このように異なるＩＤコードをＩＤ管理用リモコンによって生成して配布することで、異なるＡＶデータ無線通信システムを構築することができるとともに、各ＩＤコード毎に送信回数を制限することによって、各ＡＶデータ無線通信システム毎に、１台のＡＶデータ送信装置から送信されるＡＶデータを受信できるＡＶデータ受信装置の台数を制限することができる。
【０１８４】
＜第９の実施形態＞
本発明の第９の実施形態について、図面を参照して説明する。尚、本実施形態のＡＶデータの無線通信システムにおけるＩＤ管理システムにおいて、第８の実施形態と同一の目的で使用する部分については、同一の符号を付してその詳細な説明は省略する。
【０１８５】
本実施形態では、第８の実施形態と異なり、ＩＤ管理用リモコンで生成されたＩＤコードが所定時間だけ保持され、所定時間経過後、削除される。よって、本実施形態では、ＩＤ管理用リモコン５ｇが、図３５のように、図３２に示す構成より、カウンタ５７７，５７８を省くとともに、ＩＤ生成部５７９で新たにＩＤコードが生成されてからの時間を計測するタイマ５８０を付加した構成となる。
【０１８６】
このような構成のＩＤ管理用リモコン５ｇは、タイマ５８０で計測した時間Ｔが所定時間Ｔａとなったか否かを確認する。又、第８の実施形態と同様、ＩＤ生成部５７９で生成されたＩＤコードはＩＤ記憶部５７０ａに格納される。このＩＤ管理用リモコン５ｇがＩＤ記憶部５７０ａに格納したＩＤコードをＡＶデータ送信装置又はＡＶデータ受信装置に送信するときの動作について、図３６のフローチャートを参照して説明する。尚、図３６のフローチャートにおいて、図３３のフローチャートと同一の動作ステップについては、同一の符号を付す。
【０１８７】
まず、設定キー５２ａが操作されると（ＳＴＥＰ１００）、変更キー５２ｂが操作されたか否かが確認される（ＳＴＥＰ１１０）。そして、変更キー５２ｂの操作が確認されなかったとき（Ｎｏ）、現在ＩＤ記憶部５７０ａに格納されているＩＤコードがＩＤ生成部５７９で生成されてからタイマ５８０で計測された時間Ｔが所定時間Ｔａを超えたか否かがＩＤ管理制御部５７２ａで確認される（ＳＴＥＰ１５０）。そして、時間Ｔが所定時間Ｔａを超えていることが確認されると（Ｎｏ）、ＩＤ記憶部５７０ａ内に格納されているＩＤコードを削除する（ＳＴＥＰ１５２）。
【０１８８】
又、ＳＴＥＰ１１０で変更キー５２ｂの操作が確認されたとき（Ｙｅｓ）、このときもＳＴＥＰ１５０と同様、タイマ５８０で計測された時間Ｔが所定時間Ｔａを超えたか否かが確認される（ＳＴＥＰ１５１）。そして、ＳＴＥＰ１５１で計測時間Ｔが所定時間Ｔａ以内であるとき（Ｙｅｓ）、又は、ＳＴＥＰ１５２でＩＤコードがＩＤ記憶部５７０ａから削除されたとき、ＳＴＥＰ１１４以降の動作が行われる。
【０１８９】
又、ＳＴＥＰ１５１で計測時間Ｔが所定時間Ｔａを超えたとき（Ｎｏ）、又は、ＳＴＥＰ１１５において変更が確認されたとき（Ｙｅｓ）、ＩＤ記憶部５７０ａ内のＩＤコードを削除した後、ＩＤ生成部５７９でＩＤコードを生成し、ＩＤ記憶部５７０ａに新しいＩＤコードを格納する（ＳＴＥＰ１１９〜ＳＴＥＰ１２１）。そして、タイマ５８０における計測時間Ｔを０にリセットする（ＳＴＥＰ１５６）。このようにＳＴＥＰ１５６でタイマ５８０をリセットしたとき、又は、ＳＴＥＰ１５０で計測時間Ｔが所定時間Ｔａ以内であるとき（Ｙｅｓ）、ＩＤ記憶部５７０ａ内に格納したＩＤコードをＩＤ出力部５７４より送信する（ＳＴＥＰ１０６）。
【０１９０】
このように異なるＩＤコードをＩＤ管理用リモコンによって生成して配布することで、異なるＡＶデータ無線通信システムを構築することができるとともに、各ＩＤコードを生成した後、その送信可能な時間を制限することによって、各ＡＶデータ無線通信システム毎に、１台のＡＶデータ送信装置から送信されるＡＶデータを受信できるＡＶデータ受信装置の台数を制限することができる。
【０１９１】
尚、本実施形態において、図３７のように、図３５の構成にＬＥＤなどのモード通知部６００を付加した構成としても構わない。このとき、タイマ５８０による計測時間Ｔが所定時間Ｔａ以内であるときは、モード通知部６００によって前回設定されてＩＤ記憶部５７０ａに格納されたＩＤコードが送信可能であることが通知される。又、タイマ５８０による計測時間Ｔが所定時間Ｔａを超えたときは、モード通知部６００によって前回設定されてＩＤ記憶部５７０ａに格納されたＩＤコードが送信不可能であることを通知するとともに、ＩＤ記憶部５７０ａ内のＩＤコードを削除する。
【０１９２】
尚、本実施形態において、ＩＤコードを生成した後に時間的な制限を与えるだけでなく、第８の実施形態と同様、ＡＶデータ送信装置及びＡＶデータ受信装置に送信した送信回数を計数し、その送信回数を制限するものとしても構わない。又、第６又は第７の実施形態のように、ＩＤ管理用リモコンがＩＤ生成部を備えていない構成であり、タイマにおいて、ＩＤコードを初めてＡＶデータ送信装置又はＡＶデータ受信装置に送信したときから経過した時間を計測し、この時間が所定時間を超えたとき、ＩＤコードの送信を禁止するようにしても構わない。
【０１９３】
＜第１０の実施形態＞
本発明の第１０の実施形態について、図面を参照して説明する。尚、本実施形態のＡＶデータの無線通信システムにおけるＩＤ管理システムにおいて、第７の実施形態と同一の目的で使用する部分については、同一の符号を付してその詳細な説明は省略する。
【０１９４】
本実施形態では、第７の実施形態と異なり、複数のＩＤコードがＩＤ管理用リモコン内に格納されるとともに、各ＩＤコードのＡＶデータ送信装置及びＡＶデータ受信装置への送信回数が管理されている。即ち、図３８のように、ＩＤ管理用リモコン５ｈは、ＩＤ記憶部５７０ｂ内にｍ個のＩＤコードｘ１〜ｘｍそれぞれが格納されるＩＤ記憶領域５７０−１〜５７０−ｍが形成されるとともに、カウンタ５７７ａ及びカウンタ５７８ａではＩＤコードｘ１〜ｘｍそれぞれのＡＶデータ送信装置及びＡＶデータ受信装置への送信回数が計数されて記録される。
【０１９５】
このようなＩＤ管理用リモコン５ｈは、ＩＤ記憶領域５７０−１〜５７０−ｍそれぞれに格納されたＩＤコードｘ１〜ｘｍをＡＶデータ送信装置又はＡＶデータ受信装置に送信するとき、ＩＤコードｘ１〜ｘｍそれぞれに対して、図３１のフローチャートによる動作を行うことによって、ＩＤコードｘ１〜ｘｍそれぞれの送信回数を管理することができる。
【０１９６】
又、キー部分５１の各キーにＩＤコードｘ１〜ｘｍを指定するように割り当てることで、設定キー５２ａを操作したときにキー部分５１のキーを操作して、操作されたキーに割り当てれたＩＤコードｘｋ（１≦ｋ≦ｍ）がＩＤ記憶部５７０−ｋより読み出されて、ＩＤ出力部５７４より送信される。このとき、ＡＶデータ送信装置にＩＤコードｘｋが送信されたとき、カウンタ５７７ａにおいて、ＩＤコードｘｋに対する計数値が１つ計数される。又、ＡＶデータ受信装置にＩＤコードｘｋが送信されたとき、カウンタ５７８ａにおいて、ＩＤコードｘｋに対する計数値が１つ計数される。
【０１９７】
本実施形態において、第８又は第９の実施形態と同様、ＩＤ生成部を設けて、所定のタイミングでＩＤ生成部でＩＤコードを生成し、送信するように指示されたＩＤ記憶領域に生成したＩＤコードを格納するようにしても構わない。又、第９の実施形態と同様、カウンタの代わりにタイマを設けて、各ＩＤ記憶領域に格納されたＩＤコードそれぞれに対して、ＡＶデータ送信装置又はＡＶデータ受信装置に初めて送信した後、その送信できる時間を制限するようにしても構わない。又、本実施形態のＩＤ管理リモコンが、第８及び第９の実施形態における機能を組み合わせて備えるようにしても構わない。
【０１９８】
＜第１１の実施形態＞
本発明の第１１の実施形態について、図面を参照して説明する。尚、本実施形態のＡＶデータの無線通信システムにおけるＩＤ管理システムにおいて、第６の実施形態と同一の目的で使用する部分については、同一の符号を付してその詳細な説明は省略する。
【０１９９】
本実施形態では、第６の実施形態と異なり、ＩＤ管理用リモコンより同一のＩＤコードを受信したＡＶデータ送信装置とＡＶデータ受信装置との間で新たにＩＤコードを設定する。本実施形態のＡＶデータ送信装置は、図３９のように、ＩＤ交換制御部５２１の代わりにＩＤコードを設定するＩＤ管理制御部５２１ａを備えるとともに、仮のＩＤコード（以下、仮ＩＤコードと呼ぶ）をＩＤ管理リモコンから受信したときからの経過時間を計測するタイマ５２５が設けられる。更に、このＡＶデータ送信装置において、ＩＤ管理制御部５２１ａで生成したＩＤコードがデータ生成部５０５に与えられる。
【０２００】
又、本実施形態のＡＶデータ受信装置は、図４０のように、ＩＤ交換制御部５６１の代わりにＩＤコードを設定するＩＤ管理制御部５６１ａを備えるとともに、ＩＤ管理制御部５６１ａで仮ＩＤコードをＩＤ管理リモコンから受信したときからの経過時間を計測するタイマ５６５が設けられる。更に、このＡＶデータ送信装置において、データ解析部５４５で得られたＩＤコードがＩＤ管理制御部５６１ａに与えられる。
【０２０１】
このように構成されるＡＶデータ送信装置及びＡＶデータ受信装置は、第６〜第１０の実施形態で説明したＩＤ管理用リモコン５ｄ〜５ｈより仮ＩＤコードを受信した後、ＡＶデータ送信装置で、この仮ＩＤコードに基づいてＡＶデータ通信を行うためのＩＤコードを生成してＡＶデータ受信装置に送信する。このとき、ＡＶデータ送信装置が、図４１のフローチャートに従って動作するとともに、ＡＶデータ受信装置が、図４２のフローチャートに従って動作する。
【０２０２】
ＡＶデータ送信装置では、ＩＤ管理リモコン５ｘ（ＩＤ管理リモコン５ｄ〜５ｈに相当する）から送信された仮ＩＤコードをＩＤ入力部５２２で受信すると（ＳＴＥＰ２００）、ＩＤ入力部５２２で受信した仮ＩＤコードをＩＤ管理制御部５２１ａによってＩＤ記憶部５２０に格納する（ＳＴＥＰ２０１）。その後、ＩＤ管理制御部５２１ａにおいて、ＩＤ記憶部５２０に格納した仮ＩＤコードに基づいてＡＶデータ通信に使用するＩＤコードを生成する（ＳＴＥＰ２０２）。このとき、時間情報などによる乱数設定を行うことで、ＩＤコードが設定されるものとしても構わない。
【０２０３】
そして、ＩＤ管理制御部５２１ａで生成したＩＤコードも仮ＩＤコードとともにＩＤ記憶部５２０に格納した後（ＳＴＥＰ２０３）、タイマ５２５での計測時間ｔ１を０としてリセットする（ＳＴＥＰ２０４）。そして、タイマ５２５による計測時間ｔ１が所定時間ｔ１ａを超えたか否かがＩＤ管理制御部５２１ａによって確認する（ＳＴＥＰ２０５）。
【０２０４】
このとき、計測時間ｔ１が所定時間ｔ１ａ以内であるとき（Ｙｅｓ）、ＳＴＥＰ２０３でＩＤ記憶部５２０に格納したＩＤコードがＩＤ管理制御部５２１ａより読み出されてデータ生成部５０５に与えられてＡＶデータ受信装置に送信される（ＳＴＥＰ２０６）。即ち、データ生成部５０５に与えられたＩＤコードが、誤り訂正符号付加部５０６で誤り訂正符号が付加されてデータスクランブル部５０７においてＩＤ記憶部５２０内の仮ＩＤコードによって暗号化された後、ＢＢ５０９及びＲＦ５１０及びアンテナ５１１を介してＡＶデータ受信装置に送信される。
【０２０５】
その後、ＳＴＥＰ２０５に移行する。このとき、ＳＴＥＰ２０６でＩＤコードを送信した後、所定時間ｔｘ（＝ｔ１ａ／ｋ、所定時間ｔ１ａにおいてｋ回送信を行う）経過した後、ＳＴＥＰ２０５に移行する。又、ＳＴＥＰ２０５において、タイマ５２５による計測時間ｔ１より所定時間ｔ１ａを経過したことが確認されると（Ｎｏ）、ＩＤ記憶部５２０に格納している仮ＩＤコードを削除する（ＳＴＥＰ２０７）。
【０２０６】
又、ＡＶデータ受信装置では、ＩＤ管理リモコン５ｘから送信された仮ＩＤコードをＩＤ入力部５６２で受信すると（ＳＴＥＰ２１０）、ＩＤ入力部５６２で受信した仮ＩＤコードをＩＤ管理制御部５６１ａによってＩＤ記憶部５６０に格納する（ＳＴＥＰ２１１）。そして、タイマ５６５での計測時間ｔ２を０としてリセットし（ＳＴＥＰ２１２）、タイマ５６５による計測時間ｔ２が所定時間ｔ２ａを超えたか否かがＩＤ管理制御部５６１ａによって確認する（ＳＴＥＰ２１３）。
【０２０７】
このとき、タイマ５６５の計測時間ｔ２が所定時間ｔ２ａ以内であるとき、ＡＶデータ送信装置より送信されるＩＤコードをアンテナ５４１及びＲＦ５４２及びＢＢ５４３で受信したか否かが確認される（ＳＴＥＰ２１４）。そして、ＩＤコードの受信を確認すると、スクランブル解除部５４４において、ＩＤ記憶部５６０内に格納した仮ＩＤコードより暗号化解除した後、データ解析部５４５でＡＶデータ送信装置で生成されたＩＤコードを確認する。このデータ解析部５４５で得られたＩＤコードはＩＤ管理制御部５６１ａに与えられて、ＩＤ記憶部５６０内に格納する（ＳＴＥＰ２１５）。
【０２０８】
そして、ＳＴＥＰ２１３でタイマ５６５の計測時間ｔ２より所定時間ｔ２ａが経過したことが確認されたとき（Ｎｏ）、又は、ＳＴＥＰ２１５でＩＤ記憶部５６０内にＡＶデータ送信装置で生成されたＩＤコードを格納したとき、ＳＴＥＰ２１１でＩＤ記憶部５６０内に格納した仮ＩＤコードを削除する（ＳＴＥＰ２１６）。
【０２０９】
このように動作するＡＶデータ送信装置３ｂ及びＡＶデータ受信装置４ｂがそれぞれ異なるＩＤコードＡ、Ｂを備えた状態にあるとき、図４３（ａ）のように、ＩＤ管理用リモコン５ｘにより仮ＩＤコードＰがＡＶデータ送信装置３ｂに送信されると、図４３（ｂ）のように、ＩＤ管理制御部５２１ａによってＩＤコードＱが生成されるとともに、仮ＩＤコードＰ及びＩＤコードＱがＩＤ記憶部５２０内に格納される。その後、図４３（ｂ）のように、ＩＤ管理用リモコン５ｘにより仮ＩＤコードＰがＡＶデータ受信装置４ｂに送信されると、図４３（ｃ）のように、ＩＤ管理制御部５６１ａによって仮ＩＤコードＰがＩＤ記憶部５６０内に格納される。
【０２１０】
そして、図４３（ｃ）のように、ＡＶデータ送信装置３ｂよりＩＤ記憶部５２０内の仮ＩＤコードＰによって暗号化されたＩＤコードＱが送信されると、ＡＶデータ受信装置４ｂはこのＡＶデータ送信装置３ｂからの信号を受信し、ＩＤ記憶部５６０内の仮ＩＤコードＰによってＩＤコードＱを得る。そして、ＡＶデータ受信装置４ｂでは、このようにして得たＩＤコードＱをＩＤ記憶部５６０内に格納するとともに、ＩＤ記憶部５６０内に格納している仮ＩＤコードＰを削除する。
【０２１１】
その後、所定時間ｔ１ａが経過すると、ＡＶデータ送信装置３ｂにおいてもＩＤ記憶部５２０内の仮ＩＤコードＰが削除され、図４３（ｄ）のように、ＩＤ記憶部５２０内のＩＤコードＱによって暗号化されたＡＶデータがＡＶデータ受信装置４ｂに送信される。このようにして、ＡＶデータ送信装置３ｂ及びＡＶデータ受信装置４ｂそれぞれで使用するＩＤコードをＩＤコードＱとして一致させることで、ＡＶデータ送信装置３ｂとＡＶデータ受信装置４ｂとによって１つのＡＶデータ無線通信システムを構築する。
【０２１２】
尚、本実施形態において、ＡＶデータ送信装置で生成されたＩＤコードをＡＶデータ受信装置が受信してＩＤ記憶部に格納したとき、ＩＤコードを正常に受信したことを通知する通知信号をＡＶデータ送信装置に返信するようにしても構わない。そして、この通知信号をＡＶデータ送信装置が受信するとともにカウンタで計数することによって、生成したＩＤコードを受信したＡＶデータ受信装置の台数を確認し、その受信回数が所定回数となったときにＩＤコードの送信を停止するとともに仮ＩＤコードをＩＤ記憶部より削除することで、ＡＶデータ通信を許可するＡＶデータ受信装置の台数を制限するようにしても構わない。又、ＡＶデータ受信装置において、仮ＩＤコードをＩＤ管理用リモコンから受信した後、所定時間経過するまで、ＡＶデータ送信装置で生成されたＩＤコードを受信しなかったとき、ユーザに対してエラー通知するようにしても構わない。
【０２１３】
又、本実施形態において、ＡＶデータ送信装置において仮ＩＤコードからＩＤコードを生成するものとしたが、ＡＶデータ受信装置において仮ＩＤコードからＩＤコードを生成して他のＡＶデータ受信装置及びＡＶデータ送信装置に送信するようにしても構わない。このとき、ＡＶデータ受信装置において、ＩＤ管理制御部で生成したＩＤコードがデータ生成部に与えられるとともに、ＡＶデータ送信装置において、データ解析部で得られたＩＤコードがＩＤ管理制御部に与えられる。
【０２１４】
＜第１２の実施形態＞
本発明の第１２の実施形態について、図面を参照して説明する。尚、本実施形態のＡＶデータの無線通信システムにおけるＩＤ管理システムにおいて、第５の実施形態と同一の目的で使用する部分については、同一の符号を付してその詳細な説明は省略する。
【０２１５】
本実施形態では、第５の実施形態と異なり、ＩＤ管理用リモコン５ｃの送信用ＩＤ記憶部５７０及び受信用ＩＤ記憶部５７１ａ内のＩＤ記憶領域５９１〜５９３それぞれに予め格納されるＩＤコードが、書換が必要なＩＤコードとされる。この書換必要なＩＤコードは、ＡＶデータ通信を行うＩＤコードとして使用可能なＩＤコードに書き換えられるもので、ＡＶデータ通信を行うＩＤコードとして使用することが不可能なＩＤコードとされる。
【０２１６】
そして、ＩＤ管理用リモコン５ｃは、ＡＶデータ送信装置又はＡＶデータ受信装置に対してＩＤコードの送信要求を行った後、ＩＤ記憶部５７０及びＩＤ記憶領域５９１〜５９３に格納したＩＤコードをＡＶデータ送信装置又はＡＶデータ受信装置から受信したＩＤコードに書き換える。尚、本実施形態では、第５の実施形態と同様、図２０に示す構成のＩＤ管理用リモコン５ｃとするが、受信用ＩＤ記憶部５７１ａに格納されるＩＤ記憶領域は３領域に限定されるものでなく、１領域以上であればよい。
【０２１７】
このＩＤ管理用リモコン５ｃは、図４４のフローチャートのように、交換キー５２が操作されると、送信用ＩＤ記憶部５７０内の送信用ＩＤコードが書換必要なＩＤコードであるか否かがＩＤ交換制御部５７２で確認される（ＳＴＥＰ２５０）。そして、書換必要なＩＤコードであることが確認されると（Ｙｅｓ）、ＩＤ交換制御部５７２において、ＡＶデータ送信装置又はＡＶデータ受信装置に対してＩＤ記憶部５２０内の送信用ＩＤコード又はＩＤ記憶部５６０内の受信用ＩＤコードのいずれかを送信するように要求するためのＩＤ送信要求信号を生成して、ＩＤ出力部５７４より送信する（ＳＴＥＰ２５１）。
【０２１８】
このとき、ＡＶデータ送信装置又はＡＶデータ受信装置は、ＩＤ管理用リモコン５ｃから送信されるＩＤ送信要求信を受信する。以下、ＡＶデータ送信装置を代表に説明する。又、かっこ内は、ＡＶデータ受信装置の対応する部分である。ＩＤ送信要求信号をＩＤ入力部５２２（５６２）で受信すると、ＩＤ交換制御部５２１（５６１）において、ＩＤ記憶部５２０（５６０）内の送信用（受信用）ＩＤコードを読み出して、ＩＤ管理用リモコン５ｃで書換可能なＩＤコードであるか否かが確認される。そして、書換可能なＩＤコードであることが確認されると、ＩＤ出力部５２３（５６３）より送信用（受信用）ＩＤコードが送信される。このとき、送信用（受信用）ＩＤコードが交換されないため、ＩＤ記憶部５２０（５６０）には、元の送信用（受信用）ＩＤコードが格納されたままとなる。
【０２１９】
又、ＩＤ交換制御部５２１（５６１）において、ＩＤ記憶部５２０（５６０）内の送信用（受信用）ＩＤコードが、ＩＤ管理用リモコン５ｃで書換不可能なＩＤコードであることが確認されると、送信用（受信用）ＩＤコードを送信せずに、エラー信号を生成して、ＩＤ出力部５２３（５６３）よりＩＤ管理用リモコン５ｃに送信する。
【０２２０】
そして、ＩＤ管理用リモコン５ｃでは、送信用ＩＤコード又は受信用ＩＤコードをＩＤ入力部５７３で受信したか否かをＩＤ交換制御部５７２で確認する（ＳＴＥＰ２５２）。このとき、送信用ＩＤコード又は受信用ＩＤコードの受信を確認すると（Ｙｅｓ）、受信した送信用ＩＤコード又は受信用ＩＤコードをＩＤ一時記憶部５７５に格納した後（ＳＴＥＰ２５３）、キー部分５１が操作されて書き換えを行う受信用ＩＤコードの数が制限されているか否かを確認する（ＳＴＥＰ２５４）。
【０２２１】
そして、書き換えを行う受信用ＩＤコードの数が制限されているとき（Ｙｅｓ）、その書換可能な数を確認し（ＳＴＥＰ２５５）、又、書き換えを行う受信用ＩＤコードの数が制限されていないとき（Ｎｏ）、その書換可能な数を全てとする（ＳＴＥＰ２５６）。尚、図２０に示すＩＤ管理用リモコン５ｃにおいては、受信用ＩＤ記憶部５７１ａ内のＩＤ記憶領域５９１〜５９３が３領域であるため、ＳＴＥＰ２５５では、書換可能な数が１〜３とされ、又、ＳＴＥＰ２５６では、書換可能な数が３とされる。
【０２２２】
ＳＴＥＰ２５５又はＳＴＥＰ２５６で書換可能な受信用ＩＤコードの数が確認されると、まず、送信用ＩＤ記憶部５７０内の送信用ＩＤコードをＩＤ一時記憶部５７５内のＩＤコードに書き換える（ＳＴＥＰ２５７）。そして、受信用ＩＤ記憶部５７１ａにおける書換必要な受信用ＩＤコードを格納したＩＤ記憶領域の１つに対して、その書換必要な受信用ＩＤコードをＩＤ一時記憶部５７５内のＩＤコードに書き換える（ＳＴＥＰ２５８）。その後、ＩＤ一時記憶部５７５内のＩＤコードに書き換えられたＩＤコードを格納している受信用ＩＤ記録部５７１ａ内のＩＤ記憶領域の数がＳＴＥＰ２５５又はＳＴＥＰ２５６で確認された数となったか否かが確認される（ＳＴＥＰ２５９）。
【０２２３】
このとき、書き換えられたＩＤコードを格納している受信用ＩＤ記録部５７１ａ内のＩＤ記憶領域の数が制限された数に至っていない場合（Ｎｏ）、ＳＴＥＰ２５８に移行して、書換必要な受信用ＩＤコードを格納したＩＤ記憶領域の受信用ＩＤコードを書き換える。又、ＳＴＥＰ２５９において、書き換えられたＩＤコードを格納している受信用ＩＤ記録部５７１ａ内のＩＤ記憶領域の数が制限された数に至ったことが確認されると（Ｙｅｓ）、ＩＤ一時記憶部５７５内の送信用ＩＤコード又は受信用ＩＤコードが削除される（ＳＴＥＰ２６０）。
【０２２４】
又、ＳＴＥＰ２５０において、送信用ＩＤ記憶部５７０内の送信用ＩＤコードが書換必要なＩＤコードでなく、既に、ＡＶデータ送信装置の送信用ＩＤコード又はＡＶデータ受信装置の受信用ＩＤコードに基づいて書き換えられたＩＤコードである場合（Ｎｏ）、第５の実施形態と同様の交換動作を行う。（ＳＴＥＰ２６２）このときの動作については、第１又は第５の実施形態を参照するものとして説明を省略する。又、ＳＴＥＰ２５２において、ＡＶデータ送信装置又はＡＶデータ受信装置からエラー信号を受信したとき、ＩＤコードの書き換えができないこと示すエラー通知を行う（ＳＴＥＰ２６１）。尚、このエラー通知については、第６の実施形態と同様の動作を行うことで、通知するものとしても構わない。
【０２２５】
このように動作するＩＤ管理用リモコン５ｃを用いたＩＤコードの交換動作例について、図４５の状態遷移図を参照して説明する。図４５（ａ）のように、送信用ＩＤ記憶部５７０内の送信用ＩＤコード及び受信用ＩＤ記憶部５７１ａのＩＤ記憶領域５９１〜５９３内の受信用ＩＤコードがそれぞれ、書換必要なＩＤコードＫであるものとする。そして、送信用ＩＤコードＡを備えたＡＶデータ送信装置６０及び受信用ＩＤコードを備えていないＡＶデータ受信装置６３ａ及び受信用ＩＤコードＣを備えたＡＶデータ受信装置６５によってＡＶデータ無線通信システムを構築しようとしているものとする。
【０２２６】
このとき、まず、ＩＤ管理用リモコン５ｃがＩＤ送信要求信号をＡＶデータ送信装置６０に送信することで、ＩＤ記憶部５２０内の送信用ＩＤコードＡを受信する。そして、今、ＩＤ管理用リモコン５ｃのキー部分５１が操作されることで、受信用ＩＤ記憶部５７１ａにおいて書き換える受信用ＩＤコードの数を２と設定されるものとする。よって、ＡＶデータ送信装置６０より受信した送信用ＩＤコードＡに基づいてＩＤコードの書換を行うため、図４５（ｂ）のように、送信用ＩＤ記憶部５７０内に送信用ＩＤコードＡが格納されるとともに、受信用ＩＤ記憶部５７１ａのＩＤ記憶領域５９１，５９２内の受信用ＩＤコードＡが格納される。又、書換可能とする受信用ＩＤコードの数が２と設定されているため、ＩＤ記憶領域５９３内の受信用ＩＤコードＫは書き換えられない。
【０２２７】
その後、ＩＤ管理用リモコン５ｃがＡＶデータ受信装置６３ａと通信を行うことで、ＩＤ管理用リモコン５ｃのＩＤ記憶領域５９１内の受信用ＩＤコードＡがＡＶデータ受信装置６３ａのＩＤ記憶部５６０に送信される。又、ＩＤ管理用リモコン５ｃがＡＶデータ受信装置６５と通信を行うことで、ＩＤ管理用リモコン５ｃのＩＤ記憶領域５９２内の受信用ＩＤコードＡがＡＶデータ受信装置６５のＩＤ記憶部５６０内の受信用ＩＤコードＣと交換される。よって、図４５（ｃ）のように、ＡＶデータ受信装置６３ａ，６５のＩＤ記憶部５６０に受信用ＩＤコードＡが格納され、ＩＤ管理用リモコン５ｃのＩＤ記憶領域５９１が空の状態となるとともにＩＤ記憶領域５９２に受信用ＩＤコードＣに格納される。
【０２２８】
尚、本実施形態において、ＩＤ管理用リモコンの送信用ＩＤ記憶部及び受信用ＩＤ記憶部に格納している送信用ＩＤコード及び受信用ＩＤコードを、ＡＶデータ送信装置又はＡＶデータ受信装置から受信したＩＤコードに書き換えた後、第１又は第５の実施形態のように、書き換えたＩＤコードを備えたＡＶデータ送信装置又はＡＶデータ受信装置と通信を行うＡＶデータ送信装置及びＡＶデータ受信装置のＩＤコードと交換するものとした。しかしながら、ＩＤ管理用リモコンの送信用ＩＤ記憶部及び受信用ＩＤ記憶部に格納している送信用ＩＤコード及び受信用ＩＤコードを、ＡＶデータ送信装置又はＡＶデータ受信装置から受信したＩＤコードに書き換えた後、第６又は第７の実施形態と同様にして、書き換えたＩＤコードを備えたＡＶデータ送信装置又はＡＶデータ受信装置と通信を行うＡＶデータ送信装置及びＡＶデータ受信装置に書き換えたＩＤコードを送信するものとしても構わない。
【０２２９】
このとき、書換必要なＩＤコードを備えたＩＤ管理用リモコンがＡＶデータ送信装置又はＡＶデータ受信装置にＩＤ送信要求信号を送信して、ＡＶデータ送信装置又はＡＶデータ受信装置が備えたＩＤコードを受信して、書換必要なＩＤコードを書き換える。その後、ＩＤ管理用リモコンにＩＤコードを送信したＡＶデータ送信装置又はＡＶデータ受信装置とＡＶデータ無線通信システムを構築するように選択されたＡＶデータ送信装置及びＡＶデータ受信装置に対して、ＩＤ管理用リモコンより書き換えられたＩＤコードが送信される。
【０２３０】
そして、第７の実施形態のように、書き換えられたＩＤコードがＡＶデータ送信装置及びＡＶデータ受信装置それぞれへの送信回数が設定され、所定回数送信されたとき、書き換えられたＩＤコードが削除されて、元の書換必要なＩＤコードに変換されるものとしても構わない。又、第９の実施形態のように、ＩＤ管理用リモコンでＩＤコードが書き換えられた後の経過時刻が測定されるとともに、この経過時間が所定時間が過ぎたとき、書き換えられたＩＤコードが削除されて、元の書換必要なＩＤコードに変換されるものとしても構わない。
【０２３１】
又、本実施形態において、ＩＤ管理用リモコン５ｃの送信用ＩＤ記憶部５７０及び受信用ＩＤ記憶部５７１ａ内のＩＤコードが書き換えられるとき、ＩＤ管理用リモコン５ｃが操作されて、受信用ＩＤ記憶部５７１ａ内の受信用ＩＤコードの書き換える数が決定されるものとした。しかしながら、ＡＶデータ送信装置より送信用ＩＤコードが送信されるときにＡＶデータ送信装置が通信許可するＡＶデータ受信装置の台数もＩＤ管理用リモコン５ｃに送信されるものとし、受信用ＩＤ記憶部５７１ａ内で書き換えられる受信用ＩＤコードの数が制限されるものとしても構わない。
【０２３２】
又、上述の各実施形態のリモコンに代表される他の電子機器を利用したＩＤ管理システムにおいて、ＩＤコードを記憶した状態でリモコン販売することは、ＡＶデータ送受信装置の組合せを変更するＩＤコードを販売することになる。又、このようなＩＤコードをリモコンに格納して販売する以外に、インターネットなどからＩＤコードをダウンロードできるようにして販売しても構わないし、各種記録メディアにＩＤコードを記録して販売しても構わない。更に、第５〜第１１の実施形態のようにすれば、リモコンの販売で、複数のＡＶデータ受信装置で１つのＡＶデータ送信装置からのＡＶデータを受信できる環境を新たに提供できるようになる。
【０２３３】
又、複数台のＡＶデータ送信装置又はＡＶデータ受信装置に対してＩＤコードを送信する場合において、ＩＤコードに付随して、同じＩＤコードのうち何番目のものかを表す情報なども送るようにするようにして、ＡＶデータ送信装置又はＡＶデータ受信装置に送信するＩＤコードがいずれのものであるかを管理するようにしてもよい。又、本発明の各実施形態においては、基本的に送信側と受信側のスクランブルＩＤコードは同じものとしているが、送信側と受信側で送受信が相互に可能であれば、同じＩＤコードではなく、送信用、受信用の別々のＩＤコードとしても構わない。更に、ＡＶデータ送信装置及びＡＶデータ受信装置及びＩＤ管理用リモコンにおいて、ＩＤコードの入出力部を、通常のリモコンからの赤外線信号送受信部と同一部分と成るようにしても構わない。
【０２３４】
又、上述の各実施形態において、暗号化コードとしてＩＤコードが用いられるものとして説明したが、ＩＤコード及びパスワードを暗号化コードとして利用するものとしても構わない。又、各実施形態で、赤外線通信を含む無線通信を利用してＩＤコードを交換するものとしたが、ケーブルなどで有線接続して有線通信を利用してＩＤコードを交換したり、各種記録メディアに交換するＩＤコードを記憶させることで記録メディアを介してＩＤコードを交換するようにしても構わない。
【０２３５】
更に、各実施形態では、ＡＶデータの送受信が行われるＡＶデータ無線通信システムに関するものとしているが、ＡＶデータに限られるものではなく、他のデータにおけるデータ通信システムであっても構わない。又、無線通信システムに限らず、有線によるデータ通信システムにおいても適用可能である。
【０２３６】
【発明の効果】
本発明によると、ＩＤ管理システム内において暗号化コードを増減させることなく、任意のデータ送信装置及びデータ受信装置を選択し、対となる暗号化コードを格納させることで、ユーザー所望のデータ送信装置からのデータをユーザー所望のデータ受信装置で受信させることができる。又、暗号化コードを交換することで管理するため、送信側と受信側との関係が常に一定の状態とすることができ、不特定多数のデータ受信装置で受信されることを防ぐことができるため、データの著作権を保護することができる。又、データによるコンテンツの提供者側が許可した数のデータ受信装置を利用して受信させることもでき、このとき、一度に、許可した数だけデータ受信装置を動作させることができる。又、配布した暗号化コードによって、構築可能な無線通信システムの数を管理することができ、その管理も容易となる。更に、暗号化コードにおいて、データ送信装置やデータ受信装置の種類などに応じてコードの割り当てを行うことができるので、その種類に応じて、使用可能な暗号化コードを設定することができ、種類毎にデータ送信装置及びデータ受信装置の送受信を禁止又は許可することができる。
【０２３７】
又、配布した暗号化コードによって、構築可能な無線通信システムの数を管理することができ、その管理も容易となる。更に、暗号化コードにおいて、データ送信装置やデータ受信装置の種類などに応じてコードの割り当てを行うことができるので、その種類に応じて、使用可能な暗号化コードを設定することができ、種類毎にデータ送信装置及びデータ受信装置の送受信を禁止又は許可することができる。又、電子機器に予め書換必要な暗号化コードが格納され、通信システムを構築するためのデータ送信装置及びデータ受信装置のうちの１台が備えた暗号化コードに書き換えるようにすることで、新たに暗号化コードを設定する必要がなく、既存の暗号化コードを用いて新たな通信システムを構築することができる。
【０２３８】
又、本発明によると、通信システムを構築するデータ送信装置及びデータ受信装置に与える暗号化コードを電子機器毎に設定することができる。よって、各通信システムが電子機器毎に割り当てられるため、この電子機器に格納された暗号化コードにより構築された通信システムがそれぞれ、独立した通信システムとして構築される。更に、暗号化コードの送信回数及び送信時間を制限することによって、暗号化コードが送信されるデータ送信装置及びデータ受信装置の台数を制限することができるため、その秘匿性を高くすることができる。又、暗号化コードが電子機器で生成されるようにすることで、通信システムを構築するたびに異なる暗号化コードに設定することができる。
【０２３９】
又、仮暗号化コードが電子機器より与えられたデータ送信装置及びデータ受信装置が仮暗号化コードを用いて通信を行って暗号化コードを設定するため、通信システムを構築するように設定されたデータ送信装置及びデータ受信装置で新たな暗号化コードを生成することができる。よって、仮暗号化コードが与えられて許可されたデータ送信装置及びデータ受信装置の間でのみ暗号化コードの設定が行われないので、通信システムにおける秘匿性を更に高めることができる。
【図面の簡単な説明】
【図１】本発明の第１の実施形態のＩＤ管理システムを説明するための図。
【図２】本発明のＡＶデータ送信装置の内部構成を示すブロック図。
【図３】本発明のＡＶデータ受信装置の内部構成を示すブロック図。
【図４】第１の実施形態のＩＤ管理システムで使用するＩＤ管理用リモコンの外観図。
【図５】第１の実施形態のＩＤ管理システムで使用するＩＤ管理用リモコンの内部構成を示すブロック図。
【図６】ＩＤ交換時のＡＶデータ送信装置とＩＤ管理用リモコンの動作を示すフローチャート。
【図７】ＩＤ交換時のＡＶデータ送信装置とＩＤ管理用リモコンの動作を示す図。
【図８】ＩＤコードのコード内容例を示す図。
【図９】ＡＶデータ送受信におけるＩＤコードの確認動作を示すフローチャート。
【図１０】ＩＤコードのコード内容例を示す図。
【図１１】第１の実施形態におけるＩＤコードの交換動作を示す各装置の状態遷移図。
【図１２】第１の実施形態におけるＩＤコードの交換動作途中の様子を示す各装置の状態図。
【図１３】第１の実施形態におけるＩＤコードの交換動作完了時の様子を示す各装置の状態図。
【図１４】第２の実施形態のＩＤ管理システムで使用するＩＤ管理用リモコンの内部構成の一例を示すブロック図。
【図１５】第２の実施形態におけるＩＤコードの交換動作を示す各装置の状態遷移図。
【図１６】第２の実施形態のＩＤ管理システムで使用するＩＤ管理用リモコンの内部構成の別例を示すブロック図。
【図１７】第３の実施形態におけるＩＤコードの交換動作を示す各装置の状態遷移図。
【図１８】第４の実施形態のＩＤ管理システムで使用するＡＶデータ送信装置内のＩＤ記憶部の構成を示すブロック図。
【図１９】第４の実施形態のＩＤ管理システムにおいて、ＡＶデータ送受信におけるＩＤコードの確認動作を示すフローチャート。
【図２０】第５の実施形態のＩＤ管理システムで使用するＩＤ管理用リモコンの内部構成を示すブロック図。
【図２１】第５の実施形態のＩＤ管理システムにおけるＩＤ交換動作を説明するための図。
【図２２】第５の実施形態のＩＤ管理システムにおけるＩＤ交換動作による各装置の状態遷移図。
【図２３】第５の実施形態のＩＤ管理システムにおけるＩＤ交換動作による各装置の状態遷移の別例を表す図。
【図２４】本発明のＡＶデータ送信装置の内部構成の別例を示すブロック図。
【図２５】本発明のＡＶデータ受信装置の内部構成の別例を示すブロック図。
【図２６】第６の実施形態のＩＤ管理システムで使用するＩＤ管理用リモコンの内部構成を示すブロック図。
【図２７】第６の実施形態のＩＤ管理システムで使用するＩＤ管理用リモコンの外観図。
【図２８】第６の実施形態のＩＤ管理システムにおけるＩＤ交換動作の一例を説明するための各装置の状態遷移図。
【図２９】第６の実施形態のＩＤ管理システムにおけるＩＤ交換動作の一例を説明するための各装置の状態遷移図。
【図３０】第７の実施形態のＩＤ管理システムで使用するＩＤ管理用リモコンの内部構成を示すブロック図。
【図３１】第７の実施形態のＩＤ管理システムで使用するＩＤ管理用リモコンの動作を示すフローチャート。
【図３２】第８の実施形態のＩＤ管理システムで使用するＩＤ管理用リモコンの内部構成を示すブロック図。
【図３３】第８の実施形態のＩＤ管理システムで使用するＩＤ管理用リモコンの外観図。
【図３４】第８の実施形態のＩＤ管理システムで使用するＩＤ管理用リモコンの動作を示すフローチャート。
【図３５】第９の実施形態のＩＤ管理システムで使用するＩＤ管理用リモコンの内部構成を示すブロック図。
【図３６】第９の実施形態のＩＤ管理システムで使用するＩＤ管理用リモコンの動作を示すフローチャート。
【図３７】第９の実施形態のＩＤ管理システムで使用するＩＤ管理用リモコンの内部構成の別例を示すブロック図。
【図３８】第１０の実施形態のＩＤ管理システムで使用するＩＤ管理用リモコンの内部構成を示すブロック図。
【図３９】第１１の実施形態のＡＶデータ送信装置の内部構成を示すブロック図。
【図４０】第１１の実施形態のＡＶデータ受信装置の内部構成を示すブロック図。
【図４１】第１１の実施形態のＡＶデータ送信装置のＩＤ交換動作を示すフローチャート。
【図４２】第１１の実施形態のＡＶデータ受信装置のＩＤ交換動作を示すフローチャート。
【図４３】第１１の実施形態のＩＤ管理システムにおけるＩＤ交換動作の一例を説明するための各装置の状態遷移図。
【図４４】第１２の実施形態のＩＤ管理用リモコンのＩＤ書換動作を示すフローチャート。
【図４５】第１２の実施形態のＩＤ管理システムにおけるＩＤ交換動作による各装置の状態遷移図。
【図４６】従来のＡＶデータの無線通信システムを説明するための図。
【図４７】従来のＡＶデータ送信装置の内部構成を示すブロック図。
【図４８】従来のＡＶデータ受信装置の内部構成を示すブロック図。
【符号の説明】
１    ＡＶソース機器
２    ＡＶ再生装置
３，７    ＡＶデータ送信装置
４，６    ＡＶデータ受信装置
５    ＩＤ管理用リモコン
【図１】
2004229263.tif 000003
【図２】
2004229263.tif 000004
【図３】
2004229263.tif 000005
【図４】
2004229263.tif 000006
【図５】
2004229263.tif 000007
【図６】
2004229263.tif 000008
【図７】
2004229263.tif 000009
【図８】
2004229263.tif 000010
【図９】
2004229263.tif 000011
【図１０】
2004229263.tif 000012
【図１１】
2004229263.tif 000013
【図１２】
2004229263.tif 000014
【図１３】
2004229263.tif 000015
【図１４】
2004229263.tif 000016
【図１５】
2004229263.tif 000017
【図１６】
2004229263.tif 000018
【図１７】
2004229263.tif 000019
【図１８】
2004229263.tif 000020
【図１９】
2004229263.tif 000021
【図２０】
2004229263.tif 000022
【図２１】
2004229263.tif 000023
【図２２】
2004229263.tif 000024
【図２３】
2004229263.tif 000025
【図２４】
2004229263.tif 000026
【図２５】
2004229263.tif 000027
【図２６】
2004229263.tif 000028
【図２７】
2004229263.tif 000029
【図２８】
2004229263.tif 000030
【図２９】
2004229263.tif 000031
【図３０】
2004229263.tif 000032
【図３１】
2004229263.tif 000033
【図３２】
2004229263.tif 000034
【図３３】
2004229263.tif 000035
【図３４】
2004229263.tif 000036
【図３５】
2004229263.tif 000037
【図３６】
2004229263.tif 000038
【図３７】
2004229263.tif 000039
【図３８】
2004229263.tif 000040
【図３９】
2004229263.tif 000041
【図４０】
2004229263.tif 000042
【図４１】
2004229263.tif 000043
【図４２】
2004229263.tif 000044
【図４３】
2004229263.tif 000045
【図４４】
2004229263.tif 000046
【図４５】
2004229263.tif 000047
【図４６】
2004229263.tif 000048
【図４７】
2004229263.tif 000049
【図４８】
2004229263.tif 000050